(57)【要約】  本出願の実施例は情報伝送方法及び装置を提供する。該方法は、第一のネットワーク装置が端末装置へ少なくとも一つのネットワーク装置のネットワーク能力情報を送信することを含み、ここで、該少なくとも一つのネットワーク装置が該第一のネットワーク装置及び／又は該第一のネットワーク装置に接続されたネットワーク装置を含む。本出願の実施例はシグナリングオーバーヘッドを削減し、リソースの浪費を避けることができる。
2019525524.tif 000002
【特許請求の範囲】
【請求項１】
情報伝送方法であって、
第一のネットワーク装置が端末装置へ少なくとも一つのネットワーク装置のネットワーク能力情報を送信することを含み、
ここで、前記少なくとも一つのネットワーク装置が前記第一のネットワーク装置及び／又は前記第一のネットワーク装置に接続されたネットワーク装置を含む、情報伝送方法。
【請求項２】
前記少なくとも一つのネットワーク装置のネットワーク能力情報は前記少なくとも一つのネットワーク装置がサポートできるサービス及び／又は機能を示すことに用いられることを特徴とする
請求項１に記載の方法。
【請求項３】
前記第一のネットワーク装置が端末装置へ少なくとも一つのネットワーク装置のネットワーク能力情報を送信することは、
前記第一のネットワーク装置が前記端末装置の情報に基づき、前記端末装置へ前記少なくとも一つのネットワーク装置のネットワーク能力情報を送信することを含み、ここで、前記端末装置の情報が前記端末装置のサービスニーズ情報及び／又はユーザランク情報を含むことを特徴とする
請求項１又は２に記載の方法。
【請求項４】
前記第一のネットワーク装置が端末装置へ少なくとも一つのネットワーク装置のネットワーク能力情報を送信する前に、前記方法はさらに、
前記第一のネットワーク装置が前記端末装置から送信された第一のメッセージを受信し、前記第一のメッセージが前記少なくとも一つのネットワーク装置のネットワーク能力情報をリクエストすることに用いられることを含み、
前記第一のネットワーク装置が端末装置へ少なくとも一つのネットワーク装置のネットワーク能力情報を送信することは、
前記第一のネットワーク装置が前記第一のメッセージを受信した後、前記端末装置へ前記少なくとも一つのネットワーク装置のネットワーク能力情報を送信することを含むことを特徴とする
請求項１乃至３のいずれか一項に記載の方法。
【請求項５】
前記第一のメッセージに前記端末装置の端末能力情報が含まれ、前記端末能力情報は前記端末装置のサービス及び／又は機能を示すことに用いられ、
前記第一のネットワーク装置が端末装置へ少なくとも一つのネットワーク装置のネットワーク能力情報を送信することは、
前記第一のネットワーク装置が前記端末能力情報を受信した後、前記端末装置へ前記端末能力情報に合致する前記少なくとも一つのネットワーク装置のネットワーク能力情報を送信することを含むことを特徴とする
請求項４に記載の方法。
【請求項６】
前記第一のメッセージは前記端末装置が初めて前記第一のネットワーク装置にアクセスする時に送信したものであることを特徴とする
請求項４又は５に記載の方法。
【請求項７】
前記少なくとも一つのネットワーク装置は第一のエリアをカバーするネットワーク装置であることを特徴とする
請求項１乃至６のいずれか一項に記載の方法。
【請求項８】
前記第一のエリアは位置エリアであり、前記少なくとも一つのネットワーク装置は前記第一のネットワーク装置を含み、前記位置エリアが前記端末装置の位置するエリア範囲を確定することに用いられることを特徴とする
請求項７に記載の方法。
【請求項９】
前記第一のメッセージは位置更新メッセージであり、前記位置更新メッセージが、前記端末装置が第二のエリアから前記第一のエリアに移動することを示すことに用いられ、
前記第一のネットワーク装置が端末装置へ前記少なくとも一つのネットワーク装置のネットワーク能力情報を送信することは、
前記第一のネットワーク装置が前記位置更新メッセージを受信した後、前記端末装置へ前記少なくとも一つのネットワーク装置のネットワーク能力情報を送信することを含むことを特徴とする
請求項７又は８に記載の方法。
【請求項１０】
前記第一のネットワーク装置が端末装置へ前記少なくとも一つのネットワーク装置のネットワーク能力情報を送信することは、
前記第一のネットワーク装置が前記端末装置へ前記少なくとも一つのネットワーク装置のネットワーク能力情報をユニキャスト、マルチキャスト又はブロードキャストで送信することを含むことを特徴とする
請求項１乃至９のいずれか一項に記載の方法。
【請求項１１】
前記第一のネットワーク装置が端末装置へ少なくとも一つのネットワーク装置のネットワーク能力情報を送信する前に、前記方法はさらに、
前記第一のネットワーク装置が前記少なくとも一つのネットワーク装置の中の前記第一のネットワーク装置に接続されたネットワーク装置から送信されたネットワーク能力情報をそれぞれ受信することを含むことを特徴とする
請求項１乃至１０のいずれか一項に記載の方法。
【請求項１２】
前記方法はさらに、
前記第一のネットワーク装置が前記少なくとも一つのネットワーク装置の中の第二のネットワーク装置へ前記第一のネットワーク装置のネットワーク能力情報を送信することを含むことを特徴とする
請求項１乃至１１のいずれか一項に記載の方法。
【請求項１３】
前記少なくとも一つのネットワーク装置のネットワーク能力情報はさらにマッピング情報を含み、前記マッピング情報が前記少なくとも一つのネットワーク装置の搬送波周波数及び／又は前記少なくとも一つのネットワーク装置の識別子と前記サービス及び／又は前記機能との対応関係を示すことに用いられ、及び／又は
前記マッピング情報が前記少なくとも一つのネットワーク装置の搬送波周波数及び／又は前記少なくとも一つのネットワーク装置の識別子と前記サービス及び／又は前記機能の設定情報との対応関係を示すことに用いられることを特徴とする
請求項１乃至１２のいずれか一項に記載の方法。
【請求項１４】
前記第一のネットワーク装置はコアネットワーク装置又はアクセスネットワーク装置であることを特徴とする
請求項１乃至１３のいずれか一項に記載の方法。
【請求項１５】
前記サービスは、ブロードキャスト・マルチキャストサービス、ＶｏＬＴＥサービスと端末直接接続（Ｄ２Ｄ）サービスのうちの少なくとも一つを含み、
前記機能はキャリアアグリゲーション機能、ライセンス補助アクセス（ＬＡＡ）機能、デュアルコネクティビティ機能とローカル/基地局キャッシュ機能のうちの少なくとも一つを含むことを特徴とする
請求項１乃至１４のいずれか一項に記載の方法。
【請求項１６】
情報伝送方法であって、
端末装置が第一のネットワーク装置から送信された少なくとも一つのネットワーク装置のネットワーク能力情報を受信することを含み、
ここで、前記少なくとも一つのネットワーク装置が前記第一のネットワーク装置及び／又は前記第一のネットワーク装置に接続されたネットワーク装置を含む、情報伝送方法。
【請求項１７】
前記少なくとも一つのネットワーク装置のネットワーク能力情報は前記少なくとも一つのネットワーク装置がサポートできるサービス及び／又は機能を示すことに用いられることを特徴とする
請求項１６に記載の方法。
【請求項１８】
前記端末装置が第一のネットワーク装置から送信された少なくとも一つのネットワーク装置のネットワーク能力情報を受信することは、
前記端末装置が、前記第一のネットワーク装置が前記端末装置の情報に基づいて送信した前記少なくとも一つのネットワーク装置のネットワーク能力情報を受信することを含み、ここで、前記端末装置の情報が前記端末装置のサービスニーズ情報及び／又はユーザランク情報を含むことを特徴とする
請求項１６又は１７に記載の方法。
【請求項１９】
前記端末装置が第一のネットワーク装置から送信された少なくとも一つのネットワーク装置のネットワーク能力情報を受信する前に、前記方法はさらに、
前記端末装置が前記第一のネットワーク装置へ第一のメッセージを送信し、前記第一のメッセージが前記少なくとも一つのネットワーク装置のネットワーク能力情報をリクエストすることに用いられることを含み、
前記端末装置が第一のネットワーク装置から送信された少なくとも一つのネットワーク装置のネットワーク能力情報を受信することは、
前記端末装置が、前記第一のネットワーク装置が前記第一のメッセージを受信した後に送信した前記少なくとも一つのネットワーク装置のネットワーク能力情報を受信することを含むことを特徴とする
請求項１６乃至１８のいずれか一項に記載の方法。
【請求項２０】
前記第一のメッセージに前記端末装置の端末能力情報が含まれ、前記端末能力情報は、前記端末装置のサービス及び／又は機能を示すことに用いられ、
前記端末装置が第一のネットワーク装置から送信された少なくとも一つのネットワーク装置のネットワーク能力情報を受信することは、
前記端末装置が、前記第一のネットワーク装置が前記端末能力情報を受信した後に送信した前記少なくとも一つのネットワーク装置のネットワーク能力情報を受信することを含むことを特徴とする
請求項１９に記載の方法。
【請求項２１】
前記少なくとも一つのネットワーク装置は第一のエリアをカバーするネットワーク装置であることを特徴とする
請求項１６乃至２０のいずれか一項に記載の方法。
【請求項２２】
前記第一のエリアは位置エリアであり、前記少なくとも一つのネットワーク装置は前記第一のネットワーク装置を含み、前記位置エリアが前記端末装置の位置するエリア範囲を確定することに用いられることを特徴とする
請求項２１に記載の方法。
【請求項２３】
前記第一のメッセージは位置更新メッセージであり、前記位置更新メッセージが、前記端末装置が第二のエリアから前記第一のエリアに移動することを示すことに用いられ、
前記端末装置が第一のネットワーク装置から送信された少なくとも一つのネットワーク装置のネットワーク能力情報を受信することは、
前記端末装置が、前記第一のネットワーク装置が前記位置更新メッセージを受信した後に送信した前記少なくとも一つのネットワーク装置のネットワーク能力情報を受信することを含むことを特徴とする
請求項２１又は２２に記載の方法。
【請求項２４】
前記端末装置が第一のネットワーク装置から送信された少なくとも一つのネットワーク装置のネットワーク能力情報を受信することは、
前記端末装置が、前記第一のネットワーク装置がユニキャスト、マルチキャスト又はブロードキャストで送信した前記少なくとも一つのネットワーク装置のネットワーク能力情報を受信することを含むことを特徴とする
請求項１６乃至２３のいずれか一項に記載の方法。
【請求項２５】
前記端末装置が第一のネットワーク装置から送信された少なくとも一つのネットワーク装置のネットワーク能力情報を受信した後、前記方法はさらに、
前記端末装置が前記少なくとも一つのネットワーク装置の中の第二のネットワーク装置のカバレッジに移動する場合、前記端末装置が前記第二のネットワーク装置のネットワーク能力情報に基づき、前記第二のネットワーク装置の属するセルに滞在するか否かを確定することを含むことを特徴とする
請求項１６乃至２４のいずれか一項に記載の方法。
【請求項２６】
前記少なくとも一つのネットワーク装置のネットワーク能力情報はさらにマッピング情報を含み、前記マッピング情報が前記少なくとも一つのネットワーク装置の搬送波周波数及び／又は前記少なくとも一つのネットワーク装置の識別子と前記サービス及び／又は前記機能との対応関係を示すことに用いられ、及び／又は
前記マッピング情報が前記少なくとも一つのネットワーク装置の搬送波周波数及び／又は前記少なくとも一つのネットワーク装置の識別子と前記サービス及び／又は前記機能の設定情報との対応関係を示すことに用いられることを特徴とする
請求項１６乃至２５のいずれか一項に記載の方法。
【請求項２７】
前記第一のネットワーク装置はコアネットワーク装置又はアクセスネットワーク装置であることを特徴とする
請求項１６乃至２６のいずれか一項に記載の方法。
【請求項２８】
前記サービスは、ブロードキャスト・マルチキャストサービス、ＶｏＬＴＥサービスと端末直接接続（Ｄ２Ｄ）サービスのうちの少なくとも一つを含み、
前記機能はキャリアアグリゲーション機能、ライセンス補助アクセス（ＬＡＡ）機能、デュアルコネクティビティ機能とローカル/基地局キャッシュ機能のうちの少なくとも一つを含むことを特徴とする
請求項１６乃至２７のいずれか一項に記載の方法。
【請求項２９】
情報伝送装置であって、
端末装置へ少なくとも一つのネットワーク装置のネットワーク能力情報を送信するように構成される送信ユニットを備え、
ここで、前記少なくとも一つのネットワーク装置が前記装置及び／又は前記装置に接続されたネットワーク装置を含む、情報伝送装置。
【請求項３０】
前記ネットワーク能力情報はそれぞれ前記少なくとも一つのネットワーク装置がサポートできるサービス及び／又は機能を示すことに用いられることを特徴とする
請求項２９に記載の装置。
【請求項３１】
前記送信ユニットは具体的に
前記端末装置の情報に基づき、前記端末装置へ前記少なくとも一つのネットワーク装置のネットワーク能力情報を送信するように構成され、ここで、前記端末装置の情報が前記端末装置のサービスニーズ情報及び／又はユーザランク情報を含むことを特徴とする
請求項２９又は３０に記載の装置。
【請求項３２】
前記装置はさらに、
前記端末装置へ少なくとも一つのネットワーク装置のネットワーク能力情報を送信する前に、前記端末装置から送信された第一のメッセージを受信するように構成され、前記第一のメッセージが前記少なくとも一つのネットワーク装置のネットワーク能力情報をリクエストすることに用いられる第一の受信ユニットを備え、
前記送信ユニットは具体的に、
前記第一のメッセージを受信した後、前記端末装置へ前記少なくとも一つのネットワーク装置のネットワーク能力情報を送信するように構成されることを特徴とする
請求項２９乃至３１のいずれか一項に記載の装置。
【請求項３３】
前記第一のメッセージに前記端末装置の端末能力情報が含まれ、前記端末能力情報は前記端末装置のサービス及び／又は機能を示すことに用いられ、
前記送信ユニットはさらに、
前記端末能力情報を受信した後、前記端末装置へ前記端末能力情報に合致する前記少なくとも一つのネットワーク装置のネットワーク能力情報を送信するように構成されることを特徴とする
請求項３２に記載の装置。
【請求項３４】
前記第一のメッセージは前記端末装置が初めて前記装置にアクセスする時に送信したものであることを特徴とする
請求項３２又は３３に記載の装置。
【請求項３５】
前記少なくとも一つのネットワーク装置は第一のエリアをカバーするネットワーク装置であることを特徴とする
請求項２９乃至３４のいずれか一項に記載の装置。
【請求項３６】
前記第一のエリアは位置エリアであり、前記少なくとも一つのネットワーク装置は前記装置を含み、前記位置エリアが前記端末装置の位置するエリア範囲を確定することに用いられることを特徴とする
請求項３５に記載の装置。
【請求項３７】
前記第一のメッセージは位置更新メッセージであり、前記位置更新メッセージが、前記端末装置が第二のエリアから前記第一のエリアに移動することを示すことに用いられ、
前記送信ユニットは具体的に、
前記位置更新メッセージを受信した後、前記端末装置へ前記少なくとも一つのネットワーク装置のネットワーク能力情報を送信するように構成されることを特徴とする
請求項３５又は３６に記載の装置。
【請求項３８】
前記送信ユニットは具体的に、
前記端末装置へ前記少なくとも一つのネットワーク装置のネットワーク能力情報をユニキャスト、マルチキャスト又はブロードキャストで送信するように構成されることを特徴とする
請求項２９乃至３７のいずれか一項に記載の装置。
【請求項３９】
前記装置はさらに、
前記端末装置へ少なくとも一つのネットワーク装置のネットワーク能力情報を送信する前に、前記少なくとも一つのネットワーク装置の中の前記装置に接続されたネットワーク装置から送信されたネットワーク能力情報をそれぞれ受信するように構成される第二の受信ユニットを備えることを特徴とする
請求項２９乃至３８のいずれか一項に記載の装置。
【請求項４０】
前記送信ユニットはさらに、
前記少なくとも一つのネットワーク装置の中の第二のネットワーク装置へ前記装置のネットワーク能力情報を送信するように構成されることを特徴とする
請求項２９乃至３９のいずれか一項に記載の装置。
【請求項４１】
前記少なくとも一つのネットワーク装置のネットワーク能力情報はさらにマッピング情報を含み、前記マッピング情報が前記少なくとも一つのネットワーク装置の搬送波周波数及び／又は前記少なくとも一つのネットワーク装置の識別子と前記サービス及び／又は前記機能との対応関係を示すことに用いられ、及び／又は
前記マッピング情報が前記少なくとも一つのネットワーク装置の搬送波周波数及び／又は前記少なくとも一つのネットワーク装置の識別子と前記サービス及び／又は前記機能の設定情報との対応関係を示すことに用いられることを特徴とする
請求項２９乃至４０のいずれか一項に記載の装置。
【請求項４２】
前記装置はコアネットワーク装置又はアクセスネットワーク装置であることを特徴とする
請求項２９乃至４１のいずれか一項に記載の装置。
【請求項４３】
前記サービスはブロードキャスト・マルチキャストサービス、ＶｏＬＴＥサービスと端末直接接続（Ｄ２Ｄ）サービスのうちの少なくとも一つを含み、
前記機能はキャリアアグリゲーション機能、ライセンス補助アクセス（ＬＡＡ）機能、デュアルコネクティビティ機能とローカル/基地局キャッシュ機能のうちの少なくとも一つを含むことを特徴とする
請求項２９乃至４２のいずれか一項に記載の装置。
【請求項４４】
情報伝送装置であって、
第一のネットワーク装置から送信された少なくとも一つのネットワーク装置のネットワーク能力情報を受信するように構成される受信ユニットを備え、
ここで、前記少なくとも一つのネットワーク装置が前記第一のネットワーク装置及び／又は前記第一のネットワーク装置に接続されたネットワーク装置を含む、前記情報伝送装置。
【請求項４５】
前記少なくとも一つのネットワーク装置のネットワーク能力情報はそれぞれ前記少なくとも一つのネットワーク装置がサポートできるサービス及び／又は機能を示すことに用いられることを特徴とする
請求項４４に記載の装置。
【請求項４６】
前記受信ユニットは具体的に、
前記第一のネットワーク装置が前記装置の情報に基づいて送信した前記少なくとも一つのネットワーク装置のネットワーク能力情報を受信するように構成され、ここで、前記装置の情報が前記装置のサービスニーズ情報及び／又はユーザランク情報を含むことを特徴とする
請求項４４又は４５に記載の装置。
【請求項４７】
前記装置はさらに、
前記第一のネットワーク装置から送信された少なくとも一つのネットワーク装置のネットワーク能力情報を受信する前に、前記第一のネットワーク装置へ第一のメッセージを送信するように構成され、前記第一のメッセージが前記少なくとも一つのネットワーク装置のネットワーク能力情報をリクエストすることに用いられる送信ユニットを備え、
前記受信ユニットは具体的に、
前記第一のネットワーク装置が前記第一のメッセージを受信した後に送信した前記少なくとも一つのネットワーク装置のネットワーク能力情報を受信するように構成されることを特徴とする
請求項４４乃至４６のいずれか一項に記載の装置。
【請求項４８】
前記第一のメッセージに前記装置の端末能力情報が含まれ、前記端末能力情報は、前記装置のサービス及び／又は機能を示すことに用いられ、
前記受信ユニットは具体的に、
前記第一のネットワーク装置が前記端末能力情報を受信した後に送信した前記少なくとも一つのネットワーク装置のネットワーク能力情報を受信するように構成されることを特徴とする
請求項４７に記載の装置。
【請求項４９】
前記少なくとも一つのネットワーク装置は第一のエリアをカバーするネットワーク装置であることを特徴とする
請求項４４乃至４８のいずれか一項に記載の装置。
【請求項５０】
前記第一のエリアは位置エリアであり、前記少なくとも一つのネットワーク装置は前記第一のネットワーク装置を含み、前記位置エリアが前記装置の位置するエリア範囲を確定することに用いられることを特徴とする
請求項４９に記載の装置。
【請求項５１】
前記第一のメッセージは位置更新メッセージであり、前記位置更新メッセージが、前記装置が第二のエリアから前記第一のエリアに移動することを示すことに用いられ、
前記受信ユニットは具体的に、
前記第一のネットワーク装置が前記位置更新メッセージを受信した後に送信した前記少なくとも一つのネットワーク装置のネットワーク能力情報を受信するように構成されることを特徴とする
請求項４９又は５０に記載の装置。
【請求項５２】
前記受信ユニットは具体的に、
前記第一のネットワーク装置がユニキャスト、マルチキャスト又はブロードキャストで送信した前記少なくとも一つのネットワーク装置のネットワーク能力情報を受信するように構成されることを特徴とする
請求項４４乃至５１のいずれか一項に記載の装置。
【請求項５３】
前記装置はさらに、
前記装置が第一のネットワーク装置から送信された少なくとも一つのネットワーク装置のネットワーク能力情報を受信した後、前記装置が前記少なくとも一つのネットワーク装置の中の第二のネットワーク装置のカバレッジに移動する場合、前記第二のネットワーク装置のネットワーク能力情報に基づき、前記第二のネットワーク装置の属するセルに滞在するか否かを確定するように構成される確定ユニットを備えることを特徴とする
請求項４４乃至５２のいずれか一項に記載の装置。
【請求項５４】
前記少なくとも一つのネットワーク装置のネットワーク能力情報はさらにマッピング情報を含み、前記マッピング情報が前記少なくとも一つのネットワーク装置の搬送波周波数及び／又は前記少なくとも一つのネットワーク装置の識別子と前記サービス及び／又は前記機能との対応関係を示すことに用いられ、及び／又は
前記マッピング情報が前記少なくとも一つのネットワーク装置の搬送波周波数及び／又は前記少なくとも一つのネットワーク装置の識別子と前記サービス及び／又は前記機能の設定情報との対応関係を示すことに用いられることを特徴とする
請求項４４乃至５３のいずれか一項に記載の装置。
【請求項５５】
前記第一のネットワーク装置はコアネットワーク装置又はアクセスネットワーク装置であることを特徴とする
請求項４４乃至５４のいずれか一項に記載の装置。
【請求項５６】
前記サービスは、ブロードキャスト・マルチキャストサービス、ＶｏＬＴＥサービスと端末直接接続（Ｄ２Ｄ）サービスのうちの少なくとも一つを含み、
前記機能はキャリアアグリゲーション機能、ライセンス補助アクセス（ＬＡＡ）機能、デュアルコネクティビティ機能とローカル/基地局キャッシュ機能のうちの少なくとも一つを含むことを特徴とする
請求項４４乃至５５のいずれか一項に記載の装置。
【発明の詳細な説明】
【技術分野】
【０００１】
本出願は通信分野に関し、且つより具体的には、情報伝送方法及び装置に関する。
【背景技術】
【０００２】
従来の無線通信システムでは、異なる端末装置は異なる能力を有し（即ち、異なる機能を有し、又は異なるサービスをサポートし）、異なるネットワーク装置も異なる能力を有する。このようにして、端末装置は、ネットワーク装置の能力情報を知らない場合、それ自体が滞在して対応するサービスを開始させることに適するセルに滞在することができない。例えば、従来のセル再選択ルールに従い、端末装置は信号が最も良いセルを選択したが、該セルのネットワーク装置がキャリアアグリゲーション機能をサポートすることができない可能性があり、この時に該端末装置はキャリアアグリゲーション機能を使用することができない。
【０００３】
したがって、端末装置は、サービングセルと接続を確立した後、隣セルにおけるネットワーク装置のネットワーク能力情報をシステム情報によって周期的にブロードキャストすることができ、該端末装置はそれ自体の能力に合致するセルを選択して滞在することができる。しかし、このような能力情報の送信方式は送信効率が低く、シグナリングオーバーヘッドが大きく、リソースの浪費が深刻である。
【発明の概要】
【発明が解決しようとする課題】
【０００４】
本出願の実施例はシグナリングオーバーヘッドを削減し、リソースの浪費を避けることができる情報伝送方法及び装置を提供する。
【課題を解決するための手段】
【０００５】
第一の態様による情報伝送方法は、第一のネットワーク装置が端末装置へ少なくとも一つのネットワーク装置のネットワーク能力情報を送信することを含み、ここで、該少なくとも一つのネットワーク装置が該第一のネットワーク装置及び／又は該第一のネットワーク装置に接続されたネットワーク装置を含む。
【０００６】
第一の態様のいくつかの可能な実施形態では、理解すべきものとして、該ネットワーク能力情報はそれぞれ該少なくとも一つのネットワーク装置がサポートできるサービス及び／又は機能を示すことに用いられる。
【０００７】
本出願の実施例では、第一のネットワーク装置は端末装置へそれ自体のネットワーク能力情報及び／又は該第一のネットワーク装置に接続された少なくとも一つのネットワーク装置のネットワーク能力情報を送信することができ、該端末装置は、該第一のネットワーク装置から送信された少なくとも一つのネットワーク装置のネットワーク能力情報を直接することができ、ネットワーク能力情報を含ませてシステム情報によって長期的且つ周期的にブロードキャストする必要がなく、ネットワーク能力情報の送信効率を向上させ、シグナリングオーバーヘッドを削減し、リソース利用率を高めることができる。
【０００８】
理解すべきものとして、上記の少なくとも一つのネットワーク装置のネットワーク能力情報は該少なくとも一つのネットワーク装置の個数に対応する少なくとも一つのネットワーク能力情報、即ち該少なくとも一つのネットワーク装置内の各ネットワーク装置のネットワーク能力情報であってもよく、上記の少なくとも一つのネットワーク装置のネットワーク能力情報は該少なくとも一つのネットワーク装置が共用する一つのネットワーク能力情報であってもよく、本出願の実施例はこれに限定されない。
【０００９】
第一の態様の第一の可能な実施形態では、該少なくとも一つのネットワーク装置のネットワーク能力情報は該端末装置が関連機能を実現し、又は関連サービスを実行するために必要なネットワーク能力情報であり、該第一のネットワーク装置が端末装置へ少なくとも一つのネットワークのネットワーク能力情報を送信することは、該第一のネットワーク装置が該端末装置の情報（例えばサブスクリプション情報）に基づき、該端末装置へ該端末装置に必要な少なくとも一つのネットワーク装置のネットワーク能力情報を送信することを含み、ここで、該端末装置の情報が該端末装置のサービスニーズ情報及び／又はユーザランク情報を含み、該少なくとも一つのネットワーク装置のネットワーク能力情報が該端末装置のサービスニーズ情報及び／又はユーザランク情報に合致する。
【００１０】
本出願の実施例では、該第一のネットワーク装置が該端末装置へ少なくとも一つのネットワーク装置のネットワーク能力情報を送信する前に、まず該端末装置が初期該第一のネットワーク装置にアクセスした時のサブスクリプション情報に基づき、該端末装置のサービスニーズ情報及び／又はユーザランク情報を確定することができ、次に、該第一のネットワーク装置は該端末装置のサービスニーズ情報及び／又はユーザランク情報に基づき、該端末装置へ該端末装置のサービスニーズ情報及び／又はユーザランク情報に合致する少なくとも一つのネットワーク装置のネットワーク能力情報を送信することができる。このようにして、該第一のネットワーク装置が有する全てのネットワーク装置のネットワーク能力情報を該端末装置に送信する必要がなく、該端末装置に必要な少なくとも一つのネットワーク装置のネットワーク能力情報を該端末装置に送信するだけで、該第一のネットワーク装置から該端末装置に送信されたネットワーク能力情報が該端末装置に関連付けられることをできるだけ保証し、さらにシグナリングオーバーヘッドを節約することができる。
【００１１】
第一の態様の上記の可能な実施形態と組み合わせ、第一の態様の第二の可能な実施形態では、該第一のネットワーク装置が端末装置へ少なくとも一つのネットワーク装置のネットワーク能力情報を送信する前に、該方法はさらに該第一のネットワーク装置が該端末装置から送信された第一のメッセージを受信し、該第一のメッセージが該少なくとも一つのネットワーク装置のネットワーク能力情報をリクエストすることに用いられることを含み、該第一のネットワーク装置が端末装置へ少なくとも一つのネットワーク装置のネットワーク能力情報を送信することは、該第一のネットワーク装置が該第一のメッセージを受信した後、該端末装置へ該少なくとも一つのネットワーク装置のネットワーク能力情報を送信することを含む。
【００１２】
本出願の実施例では、ネットワーク能力情報を送信するプロセスは端末装置によってトリガされてもよい。該端末装置はネットワーク能力情報を送信するように該第一のネットワーク装置にリクエストするための第一のメッセージを第一のネットワーク装置に送信することができ、該第一のネットワーク装置は該第一のメッセージを受信した後、該第一のメッセージに基づいて該端末装置へ該少なくとも一つのネットワーク装置のネットワーク能力情報を送信することができる。
【００１３】
選択可能に、該第一のメッセージは非アクセス層（ＮＡＳ層）のアタッチリクエスト（Ａｔｔａｃｈ  Ｒｅｑｕｅｓｔ）メッセージ又は追跡エリア更新リクエスト（Ｔｒａｃｋｉｎｇ  Ａｒｅａ  Ｕｐｄａｔｅ  Ｒｅｑｕｅｓｔ：「ＴＡＵ  Ｒｅｑｕｅｓｔ」と略称）メッセージであってもよいし、アクセス層（ＡＳ層）の接続確立関連メッセージ又は再確立関連メッセージ又は再構成メッセージなどであってもよく、本出願の実施例はこれに限定されない。
【００１４】
第一の態様又はその上記のいずれかの可能な実施形態と組み合わせ、第一の態様の第三の可能な実施形態では、該第一のメッセージに該端末装置の端末能力情報が含まれ、該端末能力情報は、該端末装置がサポートする必要がある又はサポートできるサービス及び／又は機能を示すことに用いられ、該第一のネットワーク装置が端末装置へ少なくとも一つのネットワーク装置のネットワーク能力情報を送信することは、該第一のネットワーク装置が該端末能力情報を受信した後、該端末装置へ該端末能力情報に合致する該少なくとも一つのネットワーク装置のネットワーク能力情報を送信することを含む。
【００１５】
本出願の実施例では、該端末装置は該第一のメッセージに該端末装置の端末能力情報を直接含ませ、即ち該第一のネットワーク装置へ該端末装置の能力を報告することができ、該第一のネットワーク装置は該端末能力情報を含む第一のメッセージを受信し、該端末能力情報に基づき、該端末装置へ該端末能力情報に合致するネットワーク能力情報のみを送信することができる。このようにして、端末装置からのリクエストに応じてネットワーク能力情報を送信し、これによりシグナリングオーバーヘッドを大幅に削減し、リソース利用率を向上させることができる。
【００１６】
第一の態様又はその上記のいずれかの可能な実施形態と組み合わせ、第一の態様の第四の実施形態では、該第一のメッセージは該端末装置が初めて該第一のネットワーク装置にアクセスする時に送信したものである。
【００１７】
選択可能に、該第一のメッセージは初期アクセスメッセージであってもよく、該初期アクセスメッセージが、該端末装置が初期該第一のネットワーク装置にアクセスすることを示すことに用いられる。該第一のネットワーク装置が端末装置へ該各ネットワーク装置のネットワーク能力情報を送信することは、該第一のネットワーク装置が該初期アクセスメッセージを受信した後、該端末装置へ該各ネットワーク装置のネットワーク能力情報を送信することを含む。
【００１８】
第一の態様又はその上記のいずれかの可能な実施形態と組み合わせ、第一の態様の第五の実施形態では、該少なくとも一つのネットワーク装置は第一のエリアをカバーするネットワーク装置である。
【００１９】
理解すべきものとして、該第一のエリアはある特定エリアであり、該第一のネットワーク装置を含む一定数のネットワーク装置によってネットワークカバーを行う。
【００２０】
また、理解すべきものとして、該第一のエリアにおける搬送波に対応するネットワーク能力は静的ネットワーク能力又は半静的ネットワーク能力であり、ここで、該静的ネットワーク能力が該少なくとも一つのネットワーク装置がサポートできるサービス及び／又は機能が長時間変化しないように維持されることを示し、該半静的ネットワーク能力が該少なくとも一つのネットワーク装置がサポートできるサービス及び／又は機能が第一の期間内で変化しないように維持されることを示す。
【００２１】
第一の態様又はその上記のいずれかの可能な実施形態と組み合わせ、第一の態様の第六の実施形態では、該第一のエリアは位置エリアであり、該少なくとも一つのネットワーク装置は該第一のネットワーク装置を含み、該端末装置のページングを行うように、該位置エリアが、該端末装置が位置するエリア範囲を確定することに用いられる。
【００２２】
本出願の実施例では、位置エリアはＬＴＥシステムで定義されたエリアであり、一つのグループのセルのセットであり、端末装置がモビリティ管理を行う一つの重要な構成部分である。位置エリアを設定することにより、移動交換機又は移動交換センターが端末装置の位置をタイムリーに知ることができ、端末装置を呼び出す場合、移動交換センターは該端末装置の位置エリアにおける全てのセルで検索し、該端末装置を速く、正確に検索できる。
【００２３】
選択可能に、上記第一のエリアは将来のネットワークで新しく定義されたいずれかのエリアであってもよく、本出願の実施例はこれに限定されない。
【００２４】
第一の態様又はその上記のいずれかの可能な実施形態と組み合わせ、第一の態様の第七の実施形態では、該第一のメッセージは位置更新メッセージであり、該位置更新メッセージが、該端末装置が第二のエリアから該第一のエリアに移動することを示すことに用いられ、該第一のネットワーク装置が端末装置へ該少なくとも一つのネットワーク装置のネットワーク能力情報を送信することは、該第一のネットワーク装置が該位置更新メッセージを受信した後、該端末装置へ該少なくとも一つのネットワーク装置のネットワーク能力情報を送信することを含む。
【００２５】
第一の態様又はその上記のいずれかの可能な実施形態と組み合わせ、第一の態様の第八の実施形態では、該第一のネットワーク装置が端末装置へ該少なくとも一つのネットワーク装置のネットワーク能力情報を送信することは、該第一のネットワーク装置が該端末装置へ該少なくとも一つのネットワーク装置のネットワーク能力情報をユニキャスト、マルチキャスト又はブロードキャストで送信することを含む。
【００２６】
第一の態様又はその上記のいずれかの可能な実施形態と組み合わせ、第一の態様の第九の実施形態では、該第一のネットワーク装置が端末装置へ少なくとも一つのネットワーク装置のネットワーク能力情報を送信する前に、該方法はさらに該第一のネットワーク装置が該少なくとも一つのネットワーク装置内の該第一のネットワーク装置に接続されたネットワーク装置から送信されたネットワーク能力情報をそれぞれ受信することを含む。
【００２７】
第一の態様又はその上記のいずれかの可能な実施形態と組み合わせ、第一の態様の第十の実施形態では、該方法はさらに該第一のネットワーク装置が該少なくとも一つのネットワーク装置内の第二のネットワーク装置へ該第一のネットワーク装置のネットワーク能力情報を送信することを含む。
【００２８】
理解すべきものとして、接続しているネットワーク装置同士はそれ自体のネットワーク能力情報を相互に送信することができ、これにより端末装置がその中の一つのネットワーク装置にアクセスした後、該端末装置にアクセスされたネットワーク装置は他のネットワーク装置のネットワーク能力情報を有し、該端末装置へそれ自体のネットワーク能力情報又はそれに接続されたネットワーク装置のネットワーク能力情報を送信する。
【００２９】
第一の態様又はその上記のいずれかの可能な実施形態と組み合わせ、第一の態様の第十一の実施形態では、該少なくとも一つのネットワーク装置のネットワーク能力情報はさらにマッピング情報を含み、該マッピング情報が該少なくとも一つのネットワーク装置の搬送波周波数及び／又は該少なくとも一つのネットワーク装置の識別子と該サービス及び／又は該機能との対応関係を示すことに用いられ、及び／又は
該マッピング情報が該少なくとも一つのネットワーク装置の搬送波周波数及び／又は該少なくとも一つのネットワーク装置の識別子と該サービス及び／又は該機能の設定情報との対応関係を示すことに用いられる。
【００３０】
理解すべきものとして、上記対応関係は該少なくとも一つのネットワーク装置の搬送波周波数と該サービス及び／又は該機能との対応関係であってもよいし、該少なくとも一つのネットワーク装置の識別子と該サービス及び／又は該機能との対応関係であってもよいし、該少なくとも一つのネットワーク装置の搬送波周波数と該サービス及び／又は該機能の設定情報との対応関係であってもよいし、該少なくとも一つのネットワーク装置の識別子と該サービス及び／又は該機能の設定情報との対応関係であってもよく、本出願の実施例はこれに限定されない。
【００３１】
第一の態様又はその上記のいずれかの可能な実施形態と組み合わせ、第一の態様の第十二の実施形態では、該第一のネットワーク装置はコアネットワーク装置又はアクセスネットワーク装置である。
【００３２】
第一の態様又はその上記のいずれかの可能な実施形態と組み合わせ、第一の態様の第十三の実施形態では、該サービスは、ブロードキャスト・マルチキャストサービス、ＶｏＬＴＥサービスと端末直接接続（Ｄ２Ｄ）サービスのうちの少なくとも一つを含み、該機能はキャリアアグリゲーション機能、ライセンス補助アクセス（ＬＡＡ）機能、デュアルコネクティビティ機能とローカル/基地局キャッシュ機能のうちの少なくとも一つを含む。
【００３３】
第二の態様による情報伝送方法は、端末装置が第一のネットワーク装置から送信された少なくとも一つのネットワーク装置のネットワーク能力情報を受信することを含み、ここで、該少なくとも一つのネットワーク装置が該第一のネットワーク装置及び／又は該第一のネットワーク装置に接続されたネットワーク装置を含む。
【００３４】
第二の態様のいくつかの可能な実施形態では、理解すべきものとして、該ネットワーク能力情報はそれぞれ該少なくとも一つのネットワーク装置がサポートできるサービス及び／又は機能を示すことに用いられる。
【００３５】
第二の態様の第一の可能な実施形態では、該端末装置が第一のネットワーク装置から送信された少なくとも一つのネットワーク装置のネットワーク能力情報を受信することは、該端末装置が該第一のネットワーク装置が該端末装置の情報（例えばサブスクリプション情報）に基づいて送信した該少なくとも一つのネットワーク装置のネットワーク能力情報を受信することを含み、ここで、該端末装置の情報が該端末装置のサービスニーズ情報及び／又はユーザランク情報を含み、該少なくとも一つのネットワーク装置のネットワーク能力情報に対応するサービス及び／又は機能が該端末装置のサービスニーズ情報及び／又はユーザランク情報に合致することを含む。
【００３６】
第二の態様又はその上記のいずれかの可能な実施形態と組み合わせ、第二の態様の第二の可能な実施形態では、該端末装置が第一のネットワーク装置から送信された少なくとも一つのネットワーク装置のネットワーク能力情報を受信する前に、該方法はさらに該端末装置が該第一のネットワーク装置へ第一のメッセージを送信し、該第一のメッセージが該少なくとも一つのネットワーク装置のネットワーク能力情報をリクエストすることに用いられることを含み、該端末装置が第一のネットワーク装置から送信された少なくとも一つのネットワーク装置のネットワーク能力情報を受信することは、該端末装置が該第一のネットワーク装置が該第一のメッセージを受信した後に送信した該少なくとも一つのネットワーク装置のネットワーク能力情報を受信することを含む。
【００３７】
第二の態様又はその上記の可能な実施形態と組み合わせ、第二の態様の第三の可能な実施形態では、該第一のメッセージに該端末装置の端末能力情報が含まれ、該端末能力情報は、該端末装置がサポートする必要がある又はサポートできるサービス及び／又は機能を示すことに用いられ、該端末装置が第一のネットワーク装置から送信された少なくとも一つのネットワーク装置のネットワーク能力情報を受信することは、該端末装置が、該第一のネットワーク装置が該端末能力情報を受信した後に送信した該少なくとも一つのネットワーク装置のネットワーク能力情報を受信することを含む。
【００３８】
第二の態様又はその上記のいずれかの可能な実施形態と組み合わせ、第二の態様の第四の実施形態では、該少なくとも一つのネットワーク装置は第一のエリアをカバーするネットワーク装置である。
【００３９】
第二の態様又はその上記のいずれかの可能な実施形態と組み合わせ、第二の態様の第五の実施形態では、該第一のエリアは位置エリアであり、該少なくとも一つのネットワーク装置は該第一のネットワーク装置を含み、該端末装置に対してページングを行うように、該位置エリアが該端末装置の位置するエリア範囲を確定することに用いられる。
【００４０】
第二の態様又はその上記のいずれかの可能な実施形態と組み合わせ、第二の態様の第六の実施形態では、該第一のメッセージは位置更新メッセージであり、該位置更新メッセージが、該端末装置が第二のエリアから該第一のエリアに移動することを示すことに用いられ、該端末装置が第一のネットワーク装置から送信された少なくとも一つのネットワーク装置のネットワーク能力情報を受信することは、該端末装置が、該第一のネットワーク装置が該位置更新メッセージを受信した後に送信した該少なくとも一つのネットワーク装置のネットワーク能力情報を受信することを含む。
【００４１】
第二の態様又はその上記のいずれかの可能な実施形態と組み合わせ、第二の態様の第七の実施形態では、該端末装置が第一のネットワーク装置から送信された少なくとも一つのネットワーク装置のネットワーク能力情報を受信することは、該端末装置が、該第一のネットワーク装置がユニキャスト、マルチキャスト又はブロードキャストで送信した該少なくとも一つのネットワーク装置のネットワーク能力情報を受信することを含む。
【００４２】
第二の態様又はその上記のいずれかの可能な実施形態と組み合わせ、第二の態様の第八の実施形態では、該端末装置が第一のネットワーク装置から送信された少なくとも一つのネットワーク装置のネットワーク能力情報を受信した後、該方法はさらに該端末装置が該少なくとも一つのネットワーク装置内の第二のネットワーク装置のカバレッジに移動する場合、該端末装置が該第二のネットワーク装置のネットワーク能力情報に基づき、該第二のネットワーク装置の属するセルに滞在するか否かを確定することを含む。
【００４３】
第二の態様又はその上記のいずれかの可能な実施形態と組み合わせ、第二の態様の第九の実施形態では、該少なくとも一つのネットワーク装置のネットワーク能力情報はさらにマッピング情報を含み、該マッピング情報が該少なくとも一つのネットワーク装置の搬送波周波数及び／又は該少なくとも一つのネットワーク装置の識別子と該サービス及び／又は該機能との対応関係を示すことに用いられ、及び／又は
該マッピング情報が該少なくとも一つのネットワーク装置の搬送波周波数及び／又は該少なくとも一つのネットワーク装置の識別子と該サービス及び／又は該機能の設定情報との対応関係を示すことに用いられる。
【００４４】
第二の態様又はその上記のいずれかの可能な実施形態と組み合わせ、第二の態様の第十の実施形態では、該第一のネットワーク装置はコアネットワーク装置又はアクセスネットワーク装置である。
【００４５】
第二の態様又はその上記のいずれかの可能な実施形態と組み合わせ、第二の態様の第十一の実施形態では、該サービスは、ブロードキャスト・マルチキャストサービス、ＶｏＬＴＥサービスと端末直接接続（Ｄ２Ｄ）サービスのうちの少なくとも一つを含み、該機能はキャリアアグリゲーション機能、ライセンス補助アクセス（ＬＡＡ）機能、デュアルコネクティビティ機能とローカル/基地局キャッシュ機能のうちの少なくとも一つを含む。
【００４６】
第三の態様による情報伝送装置は、上記第一の態様又は第一の態様のいずれかの可能な実施形態における方法を実行することに用いられる。具体的には、該装置は上記第一の態様又は第一の態様のいずれかの可能な実施形態における方法を実行するためのユニットを備える。
【００４７】
第四の態様による情報伝送装置は、上記第二の態様又は第二の態様のいずれかの可能な実施形態における方法を実行することに用いられる。具体的には、該装置は上記第二の態様又は第二の態様のいずれかの可能な実施形態における方法を実行するためのユニットを備える。
【００４８】
第五の態様による情報伝送装置は、受信機、送信機、メモリ、プロセッサとバスシステムを備える。ここで、該受信機、該送信機、該メモリと該プロセッサは該バスシステムを介して接続され、該メモリが命令を記憶するように構成され、該プロセッサが該メモリに記憶された命令を実行し、信号を受信するように受信機を制御し、そして信号を送信するように送信機を制御するように構成され、そして該プロセッサが該メモリに記憶された命令を実行する場合、該実行により該プロセッサが第一の態様又は第一の態様のいずれかの可能な実施形態における方法を実行する。
【００４９】
第六の態様による情報伝送装置は、受信機、送信機、メモリ、プロセッサとバスシステムを備える。ここで、該受信機、該送信機、該メモリと該プロセッサは該バスシステムを介して接続され、該メモリが命令を記憶するように構成され、該プロセッサが該メモリに記憶された命令を実行し、信号を受信するように受信機を制御し、そして信号を送信するように送信機を制御するようにように構成され、そして該プロセッサが該メモリに記憶された命令を実行する場合、該実行により該プロセッサが第二の態様又は第二の態様のいずれかの可能な実施形態における方法を実行する。
【００５０】
第七の態様による情報伝送システムは、上記第三の態様又は第三の態様のいずれかの可能な実施形態における装置及び第四の態様又は第四の態様のいずれかの可能な実施形態における装置を備え、又は
該システムは上記第五の態様又は第五の態様のいずれかの可能な実施形態における装置及び第六の態様又は第六の態様におけるいずれかの可能な実施形態における装置を備える。
【００５１】
第八の態様によるコンピュータ可読媒体は、第一の態様又は第一の態様のいずれかの可能な実施形態における方法を実行するための命令を含むコンピュータプログラムを記憶することに用いられる。
【００５２】
第九の態様によるコンピュータ可読媒体は、第二の態様又は第二の態様のいずれかの可能な実施形態における方法を実行するための命令を含むコンピュータプログラムを記憶することに用いられる。
【図面の簡単な説明】
【００５３】
【図１】本出願の実施例による情報伝送方法の概略フローチャートである。
【図２】本出願の実施例による情報伝送方法の概略フローチャートである。
【図３】本出願の実施例による情報伝送装置の概略ブロック図である。
【図４】本出願の実施例による情報伝送装置の概略ブロック図である。
【図５】本出願の実施例による情報伝送システムの概略ブロック図である。
【図６】本出願の実施例による情報伝送装置の概略ブロック図である。
【図７】本出願の実施例による情報伝送装置の概略ブロック図である。
【発明を実施するための形態】
【００５４】
本出願の実施例の技術的解決策をより明確に説明するために、以下に実施例又は従来技術の説明に必要な図面を簡単に説明し、明らかに、以下に記載される図面が本出願のいくつかの実施例に過ぎず、当業者であれば、創造的な労力を要することなく、これらの図面に基づいて他の図面を得ることができる。
【００５５】
以下に本出願の実施例の図面を組み合わせながら、本出願の実施例における技術的解決策を明確で、全面的に説明し、明らかに、説明される実施例は本出願の一部の実施例に過ぎず、全ての実施例ではない。本出願の実施例に基づき、当業者が創造的な労力を要せずに得た他の実施例は、全て本出願の保護範囲に属する。
【００５６】
本出願の実施例の技術的解決策は、様々な通信システム、例えばグローバルモバイル通信（Ｇｌｏｂａｌ  Ｓｙｓｔｅｍ  ｆｏｒ  Ｍｏｂｉｌｅ  Ｃｏｍｍｕｎｉｃａｔｉｏｎ：「ＧＳＭ」略称）システム、符号分割多元アクセス（Ｃｏｄｅ  Ｄｉｖｉｓｉｏｎ  Ｍｕｌｔｉｐｌｅ  Ａｃｃｅｓｓ：「ＣＤＭＡ」と略称）システム、帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ：「ＷＣＤＭＡ」と略称）システム、汎用パケット無線サービス（Ｇｅｎｅｒａｌ  Ｐａｃｋｅｔ  Ｒａｄｉｏ  Ｓｅｒｖｉｃｅ：「ＧＰＲＳ」と略称）、長期進化型（Ｌｏｎｇ  Ｔｅｒｍ  Ｅｖｏｌｕｔｉｏｎ：「ＬＴＥ」と略称）システム、ＬＴＥ周波数分割複信（Ｆｒｅｑｕｅｎｃｙ  Ｄｉｖｉｓｉｏｎ  Ｄｕｐｌｅｘ：「ＦＤＤ」と略称）システム、ＬＴＥ時分割複信（Ｔｉｍｅ  Ｄｉｖｉｓｉｏｎ  Ｄｕｐｌｅｘ  Ｓｙｓｔｅｍ：「ＴＤＤ」と略称）システム、ユニバーサル移動体通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ：「ＵＭＴＳ」と略称）又はグローバル相互接続マイクロ波アクセス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ：「ＷｉＭＡＸ」と略称）通信システム、及び将来の可能な通信システムなどに応用されてもよい。
【００５７】
本出願の実施例では、端末装置はユーザ機器（Ｕｓｅｒ  Ｅｑｕｉｐｍｅｎｔ：「ＵＥ」と略称）、端末デバイス、移動局（Ｍｏｂｉｌｅ  Ｓｔａｔｉｏｎ：「ＭＳ」と略称）、移動端末（Ｍｏｂｉｌｅ  Ｔｅｒｍｉｎａｌ）又は将来の５Ｇネットワークにおける端末装置などと呼ばれてもよく、該端末装置は無線アクセスネットワーク（Ｒａｄｉｏ  Ａｃｃｅｓｓ  Ｎｅｔｗｏｒｋ：「ＲＡＮ」と略称）を介して一つ又は複数のコアネットワークと通信を行うことができ、例えば、端末は携帯電話（又は「セルラ」電話と呼ばれる）又は移動端末を有しているコンピュータなどであってもよく、例えば、端末はさらにポータブル、ポケット、ハンドヘルド、コンピュータ内蔵又は車載の移動装置であってもよく、それらは無線アクセスネットワークと音声及び／又はデータを交換する。
【００５８】
本出願の実施例におけるネットワーク装置は端末装置と通信するための装置であってもよく、該ネットワーク装置はＧＳＭ又はＣＤＭＡにおける基地局（Ｂａｓｅ  Ｔｒａｎｓｃｅｉｖｅｒ  Ｓｔａｔｉｏｎ：「ＢＴＳ」と略称）であってもよいし、ＷＣＤＭＡシステムにおける基地局（ＮｏｄｅＢ：「ＮＢ」と略称）であってもよいし、ＬＴＥシステムにおける進化型基地局（Ｅｖｏｌｕｔｉｏｎａｌ  Ｎｏｄｅ  Ｂ：「ｅＮＢ又はｅＮｏｄｅＢ」と略称）であってもよいし、クラウドワイヤレスアクセスネットワーク（Ｃｌｏｕｄ  Ｒａｄｉｏ  Ａｃｃｅｓｓ  Ｎｅｔｗｏｒｋ：「ＣＲＡＮ」略称）シーンにおける無線コントローラであってもよく、又は該ネットワーク装置は中継局、アクセスポイント、車載デバイス、ウェアラブルデバイス及び将来の５Ｇネットワークにおけるネットワーク装置又は将来の進化したＰＬＭＮネットワークにおけるネットワーク装置などであってもよい。
【００５９】
図１は本出願の実施例における情報伝送方法１００の概略フローチャートである。図１に情報伝送方法のステップ又は操作が示されるが、これらのステップ又は操作は一例に過ぎず、本出願の実施例は他の操作又は図１の各操作の変形を実行することができ、該方法１００はＳ１１０を含む。
【００６０】
Ｓ１１０において、第一のネットワーク装置は端末装置へ少なくとも一つのネットワーク装置のネットワーク能力情報を送信し、ここで、該少なくとも一つのネットワーク装置が該第一のネットワーク装置及び／又は該第一のネットワーク装置に接続されたネットワーク装置を含む。
【００６１】
選択可能に、該少なくとも一つのネットワーク装置のネットワーク能力情報はそれぞれ該少なくとも一つのネットワーク装置がサポートできるサービス及び／又は機能を示すことに用いられる。
【００６２】
図２は本出願の実施例における情報伝送方法２００の概略フローチャートである。図２に示す情報伝送方法のステップ又は操作が示されるが、これらのステップ又は操作は一例に過ぎず、本出願の実施例は他の操作又は図２の各操作の変形を実行することができ、該方法２００は２１０を含む。
【００６３】
Ｓ２１０において、端末装置は第一のネットワーク装置から送信された少なくとも一つのネットワーク装置のネットワーク能力情報を受信し、ここで、該少なくとも一つのネットワーク装置が該第一のネットワーク装置及び／又は該第一のネットワーク装置に接続されたネットワーク装置を含む。
【００６４】
選択可能に、該少なくとも一つのネットワーク装置のネットワーク能力情報はそれぞれ該少なくとも一つのネットワーク装置がサポートできるサービス及び／又は機能を示すことに用いられる。
【００６５】
したがって、第一のネットワーク装置は端末装置へそれ自体のネットワーク能力情報及び／又は該第一のネットワーク装置に接続された少なくとも一つのネットワーク装置のネットワーク能力情報を送信することができ、該端末装置は該第一のネットワーク装置から送信された少なくとも一つのネットワーク装置のネットワーク能力情報を直接受信することができ、ネットワーク能力情報を含ませてシステム情報によって長期的且つ周期的にブロードキャストする必要がなく、ネットワーク能力情報の送信効率を高め、シグナリングオーバーヘッドを削減し、リソース利用率を向上させることができる。
【００６６】
理解すべきものとして、上記の少なくとも一つのネットワーク装置のネットワーク能力情報は、該少なくとも一つのネットワーク装置の個数に対応する少なくとも一つのネットワーク能力情報、即ち該少なくとも一つのネットワーク装置内の各ネットワーク装置のネットワーク能力情報であってもよく、上記の少なくとも一つのネットワーク装置のネットワーク能力情報は該少なくとも一つのネットワーク装置が共用する一つのネットワーク能力情報であってもよく、本出願の実施例はこれに限定されない。
【００６７】
また、理解すべきものとして、該少なくとも一つのネットワーク装置は該第一のネットワーク装置を含むことができ、該第一のネットワーク装置を含めないこともでき、本出願の実施例はこれに限定されない。一つの実施形態では、該少なくとも一つのネットワーク装置は該第一のネットワーク装置と該第一のネットワーク装置に接続された他のネットワーク装置である。
【００６８】
選択可能に、本出願の実施例では、該第一のネットワーク装置はコアネットワーク装置又はアクセスネットワーク装置である。
【００６９】
選択可能に、本出願の実施例では、該サービスはブロードキャスト・マルチキャストサービス、ＶｏＬＴＥサービスと端末直接接続（Ｄ２Ｄ）サービスのうちの少なくとも一つを含み、該機能はキャリアアグリゲーション機能、ライセンス補助アクセス（ＬＡＡ）機能、デュアルコネクティビティ機能とローカル/基地局キャッシュ機能のうちの少なくとも一つを含む。
【００７０】
具体的には、ブロードキャスト・マルチキャストサービスは強化型
マルチメディアブロードキャストマルチキャストサービス（ｅｈａｎｃｅｄ  Ｍｕｌｔｉｍｅｄｉａ  Ｂｒｏａｄｃａｓｔ／Ｍｕｌｔｉｃａｓｔ  Ｓｅｒｖｉｃｅ：「ｅＭＢＭＳ」と略称）であってもよい。ＶｏＬＴＥ（Ｖｏｉｃｅ  ｏｖｅｒ  ＬＴＥ）サービスはＩＰマルチメディアシステム（ＩＰ  Ｍｕｌｔｉｍｅｄｉａ  Ｓｕｂｓｙｓｔｅｍ：「ＩＭＳ」と略称され、ここで、ＩＰがネットワークプロトコル（Ｉｎｔｅｒｎｅｔ  Ｐｒｏｔｏｃｏｌの略称である）に基づく音声サービスであり、それはＩＰデータ伝送技術であり、２Ｇ／３Ｇネットワークを必要せず、全てのサービスが４Ｇネットワークに搬送され、同一のネットワークにおけるデータと音声サービスの統一を実現することができる。端末直接接続（Ｄｅｖｉｃｅ  ｔｏ  Ｄｅｖｉｃｅ：「Ｄ２Ｄ」と略称）サービスは車対車（Ｖｅｈｉｃｌｅ  ｔｏ  Ｖｅｈｉｃｌｅ：「Ｖ２Ｖ」と略称）通信、又はＶ２Ｘ通信、又はＸ２Ｘを指すことができる。Ｖ２Ｘ又はＸ２Ｘ通信では、Ｘは無線受信及び送信能力を有するいかなる装置を広く指すことができ、例えば遅く移動する無線装置、速く移動する車載装置、又は無線送信及び受信能力を有するネットワーク制御ノードであるがこれらに限定されない。
【００７１】
また、キャリアアグリゲーションは伝送帯域幅を増大する技術であり、キャリアアグリゲーション機能を有する端末はそれ自体の能力に応じて、いくつの搬送波を最大で同時に使用してアップリンク及びダウンリンク伝送を行うかを決定することができる。ライセンス補助アクセス（Ｌｉｃｅｎｓｅｄ−Ａｓｓｉｓｔｅｄ  Ａｃｃｅｓｓ：「ＬＡＡ」と略称）はアンライセンス周波数バンドに用いられる技術であり、より高いデータ伝送効率を実現することができる。デュアルコネクティビティは一つの端末が同時に一つのマクロ基地局と一つのセルラ基地局に接続されるというキャリアアグリゲーション方式の技術であり、マクロ基地局によってモビリティ管理を行うことができ、同時に、集約されたセルラ基地局によってさらなるユーザ容量を提供し、これによりユーザのデータスループットを向上させる。ローカル／基地局キャッシュ機能は、ネットワークが端末ニーズに応じて、端末の関心のあるデータをローカルストレージエンティティ又は基地局に記憶することであり、これにより端末データの伝送遅延を低減することができる。
【００７２】
理解すべきものとして、上記のサービス及び／又は機能は例示に過ぎず、第一のネットワーク装置及び端末装置は他機能を有し、又は他のサービスをサポートすることもでき、本出願の実施例はこれに限定されない。
【００７３】
一つの実現形態では、Ｓ１１０は該第一のネットワーク装置が該端末装置へ該少なくとも一つのネットワーク装置のネットワーク能力情報をユニキャストで送信することを含む。
【００７４】
これに対応して、Ｓ２１０は該端末装置が該第一のネットワーク装置がユニキャストで送信した該少なくとも一つのネットワーク装置のネットワーク能力情報を受信することを含む。
【００７５】
具体的には、該第一のネットワーク装置が端末装置へ少なくとも一つのネットワーク装置のネットワーク能力情報をユニキャストで送信し、このようにして、ネットワーク装置が周期的にブロードキャストすることを避け、シグナリングオーバーヘッドを削減し、同時にリソース利用率を向上させることができる。
【００７６】
一つの選択可能な実施例として、該少なくとも一つのネットワーク装置のネットワーク能力情報は該端末装置に必要なネットワーク能力情報であり、Ｓ１１０は、該第一のネットワーク装置が該端末装置の情報（例えばサブスクリプション情報）に基づき、該端末装置へ該少なくとも一つのネットワーク装置のネットワーク能力情報を送信することを含み、ここで、該端末装置の情報が該端末装置のサービスニーズ情報及び／又はユーザランク情報を含み、該少なくとも一つのネットワーク装置のネットワーク能力情報が該端末装置のサービスニーズ情報に合致する。
【００７７】
これに対応して、Ｓ２１０は、該端末装置が、該第一のネットワーク装置が該端末装置の情報に基づいて送信した該少なくとも一つのネットワーク装置のネットワーク能力情報を受信することを含む。
【００７８】
具体的には、該第一のネットワーク装置が該端末装置へ少なくとも一つのネットワーク装置のネットワーク能力情報を送信する前に、まず該端末装置が初期該第一のネットワーク装置にアクセスした時の情報に基づき、該端末装置のサービスニーズ情報及び／又はユーザランク情報を確定することができ、次に、該第一のネットワーク装置は該端末装置のサービスニーズ情報及び／又はユーザランク情報に基づき、該端末装置へ該端末装置のサービスニーズ情報及び／又はユーザランク情報に合致する少なくとも一つのネットワーク装置のネットワーク能力情報を送信することができる。このようにして、該第一のネットワーク装置が有する全てのネットワーク装置のネットワーク能力情報を該端末装置に送信する必要がなく、該端末装置に必要な少なくとも一つのネットワーク装置のネットワーク能力情報を該端末装置に送信するだけで、該第一のネットワーク装置から該端末装置に送信されたネットワーク能力情報が該端末装置に関連付けられることをできるだけ保証し、さらにシグナリングオーバーヘッドを節約することができる。
【００７９】
理解すべきものとして、端末装置は、携帯電話、コンピュータ、車載装置などに分けられてもよく、又は、より細分化され、例えば、携帯電話をサポートされる機能に従ってスマートフォンと非スマートフォンに分ける。該第一のネットワーク装置が該端末装置の情報に基づき、該端末装置が非スマートフォンサービスをサポートすることを確定する場合、該第一のネットワーク装置は、スマートフォンサービスに対応するネットワーク能力情報を送信することなく、該端末装置へ非スマートフォンに対応する少なくとも一つのネットワーク装置のネットワーク能力情報を送信することができる。
【００８０】
一つの選択可能な実施として、Ｓ２１０の前に、該方法２００はさらに該端末装置が該第一のネットワーク装置へ第一のメッセージを送信し、該第一のメッセージが該少なくとも一つのネットワーク装置のネットワーク能力情報をリクエストすることに用いられることを含み、これに対応して、Ｓ１１０の前に、該方法１００はさらに該第一のネットワーク装置が該端末装置から送信された第一のメッセージを受信することを含み、Ｓ１１０は該第一のネットワーク装置が該第一のメッセージを受信した後、該端末装置へ該少なくとも一つのネットワーク装置のネットワーク能力情報を送信することを含む。Ｓ２１０は該端末装置が、該第一のネットワーク装置が該第一のメッセージを受信した後に送信した該少なくとも一つのネットワーク装置のネットワーク能力情報を受信することを含む。
【００８１】
具体的には、ネットワーク能力情報を送信するプロセスは端末装置によってトリガされてもよい。該端末装置は、ネットワーク能力情報を送信するように該第一のネットワーク装置にリクエストするための第一のメッセージを該第一のネットワーク装置に送信することができ、該第一のネットワーク装置は該第一のメッセージを受信した後、該第一のメッセージに基づいて該端末装置へ該少なくとも一つのネットワーク装置のネットワーク能力情報を送信することができる。
【００８２】
理解すべきものして、本出願の実施例では、該第一のネットワーク装置は該第一のメッセージに基づいて該端末装置へ該第一のネットワーク装置の有するネットワーク能力情報を送信することができ、該第一のメッセージと該端末装置のサブスクリプションメッセージに基づいて該端末装置へ該端末装置のサービスニーズ情報及び／又はユーザランク情報に合致するネットワーク能力情報を送信することができ、全てのネットワーク能力情報を送信する必要がなく、シグナリングオーバーヘッドを削減するが、本出願の実施例はこれに限定されない。
【００８３】
一つの選択可能な実施例として、該第一のメッセージに該端末装置の端末能力情報が含まれ、該端末能力情報は該端末装置がサポートする必要がある又はサポートできるサービス及び／又は機能を示すことに用いられ、Ｓ１１０は該第一のネットワーク装置が該端末能力情報を受信した後、該端末装置へ該端末能力情報に合致する該少なくとも一つのネットワーク装置のネットワーク能力情報を送信することを含む。
【００８４】
これに対応して、Ｓ２１０は該端末装置が、該第一のネットワーク装置が該端末能力情報を受信した後に送信した該少なくとも一つのネットワーク装置のネットワーク能力情報を受信することを含む。
【００８５】
具体的には、該端末装置は該第一のメッセージに該端末装置の端末能力情報を直接含ませ、即ち該第一のネットワーク装置へ該端末装置の能力を報告することができ、そのため該第一のネットワーク装置は該端末能力情報を含む第一のメッセージを受信し、該端末能力情報に基づき、該端末装置へ該端末能力情報に合致するネットワーク能力情報のみを送信することができる。このようにして、端末装置のリクエストに応じてネットワーク能力情報を送信することにより、シグナリングオーバーヘッドを大幅に削減し、リソース利用率を向上させることができる。
【００８６】
一つの選択可能な実施例として、該第一のメッセージは該端末装置が初めて該第一のアクセスネットワーク装置にアクセスする時に送信したものである。
【００８７】
具体的には、該第一のメッセージは非アクセス層（ＮＡＳ層）のアタッチリクエスト（Ａｔｔａｃｈ  Ｒｅｑｕｅｓｔ）メッセージ又は追跡エリア更新リクエスト（Ｔｒａｃｋｉｎｇ  Ａｒｅａ  Ｕｐｄａｔｅ  Ｒｅｑｕｅｓｔ：「ＴＡＵ  Ｒｅｑｕｅｓｔ」と略称）メッセージであってもよいし、アクセス層（ＡＳ層）の接続確立関連メッセージ又は再確立関連メッセージ又は再構成メッセージなどであってもよく、本出願の実施例はこれに限定されない。
【００８８】
一つの実施形態では、該第一のメッセージは初期アクセスメッセージであり、該初期アクセスメッセージが、該端末装置が初期該第一のネットワーク装置にアクセスすることを示すことに用いられ、Ｓ１１０は該第一のネットワーク装置が該初期アクセスメッセージを受信した後、該端末装置へ該少なくとも一つのネットワーク装置のネットワーク能力情報を送信することを含む。これに対応して、Ｓ２１０は、該端末装置が、該第一のネットワーク装置が該初期アクセスメッセージを受信した後に送信した該少なくとも一つのネットワーク装置のネットワーク能力情報を受信することを含む。
【００８９】
具体的には、上記第一のメッセージが初期アクセスメッセージであり、端末装置が初期該第一のネットワーク装置にアクセスした場合、該端末装置は該第一のネットワーク装置へ初期アクセスメッセージを送信することができ、該初期アクセスメッセージが、該端末装置がネットワーク能力情報をリクエストすることを該端末装置に通知することに用いられ、該第一のネットワーク装置は該初期アクセスメッセージを受信した後に該端末装置へネットワーク能力情報を送信することができる。
【００９０】
理解すべきものして、該初期アクセスメッセージは該端末装置の端末能力情報を含むこともでき、該第一のネットワーク装置は該初期アクセスメッセージにおける端末能力情報に基づき、該端末能力情報に合致する該少なくとも一つのネットワーク装置内の少なくとも一つのネットワーク装置のネットワーク能力情報を確定し、そして該端末装置に送信することができる。本出願の実施例はこれに限定されない。
【００９１】
一つの選択可能な実施例として、該少なくとも一つのネットワーク装置は第一のエリアをカバーするネットワーク装置である。
【００９２】
具体的には、上記の少なくとも一つのネットワーク装置がいずれも第一のエリアをカバーし、該第一のエリアがある特定エリアであり、該第一のネットワーク装置を含む一定数のネットワーク装置によってネットワークカバーを行う。
【００９３】
一つの具体的な実施形態では、該少なくとも一つのネットワーク装置がアクセスネットワーク、例えば基地局であり、該少なくとも一つの基地局は第一のセル、第二のセルと第三のセルなどの複数のセルをカバーすることができ、該第一のエリアは該第一のセルと該第二のエリアのエリアを含むことができ、該第三のセルは他のエリアに属し、該第一のエリアは該複数のセルのエリアを含むこともでき、本出願の実施例はこれに限定されない。
【００９４】
理解すべきものとして、該第一のエリアにおける搬送波に対応するネットワーク能力は静的ネットワーク能力又は半静的ネットワーク能力であり、ここで、該静的ネットワーク能力が、該少なくとも一つのネットワーク装置がサポートできるサービス及び／又は機能が長時間変化しないように維持されることを示し、該半静的ネットワーク能力が、該少なくとも一つのネットワーク装置がサポートできるサービス及び／又は機能が第一の期間内で変化しないように維持されることを示す。
【００９５】
一つの選択可能な実施例として、該第一のエリアは位置エリアであり、該少なくとも一つのネットワーク装置は該第一のネットワーク装置を含み、該端末装置に対してページングを行うように、該位置エリアが該端末装置の位置するエリア範囲を確定することに用いられる。
【００９６】
具体的には、位置エリアはＬＴＥシステムで定義されたエリアであり、一つのグループのセルのセットであり、端末装置がモビリティ管理を行う一つの重要な構成部分である。位置エリアを設定することにより、移動交換機又は移動交換センターが端末装置の位置をタイムリーに知ることができ、端末装置を呼び出す場合、移動交換センターは該端末装置の位置エリアにおける全てのセルで検索し、該端末装置を速く、正確に検索できる。
【００９７】
選択可能に、上記第一のエリアは将来のネットワークで新しく定義されるいずれかのエリアであってもよく、本出願の実施例はこれに限定されない。
【００９８】
一つの選択可能な実施例として、該第一のメッセージは位置更新メッセージであり、該位置更新メッセージが、該端末装置が第二のエリアから該第一のエリアに移動することを示すことに用いられ、Ｓ１１０は、該第一のネットワーク装置が該位置更新メッセージを受信した後、該端末装置へ該少なくとも一つのネットワーク装置のネットワーク能力情報を送信することを含む。
【００９９】
これに対応して、Ｓ２１０は、該端末装置が、該第一のネットワーク装置が該位置更新メッセージを受信した後に送信した該少なくとも一つのネットワーク装置のネットワーク能力情報を受信することを含む。
【０１００】
具体的には、該端末装置が第二のエリアから第一のエリアに移動した場合、該端末装置に保存された第二のエリアのネットワーク能力情報は適用ではなく、そのため該端末装置はネットワーク能力情報を更新する必要がある。該端末装置は第一のエリアにおける第一のネットワーク装置へ位置更新メッセージを送信することができ、該第一のネットワーク装置は該位置更新メッセージに基づき、該端末装置へ該第一のネットワーク装置の有する第一のエリア内のネットワーク装置のネットワーク能力情報を送信することができる。
【０１０１】
理解すべきものとして、該位置更新メッセージはさらに該端末装置の端末能力情報を含むことができ、該第一のネットワーク装置は該位置更新メッセージにおける端末能力情報に基づき、該端末能力情報に合致する該少なくとも一つのネットワーク装置のネットワーク能力情報を確定し、そして該端末装置へ該少なくとも一つのネットワーク装置のネットワーク能力情報を送信することができ、本出願の実施例はこれに限定されない。
【０１０２】
理解すべきものとして、本出願の実施例では、該第一のメッセージは非アクセス層（ＮＡＳ層）の位置更新メッセージであるが、位置更新メッセージは可能な実施形態に過ぎず、該第一のメッセージはアクセス層（ＡＳ層）の他の関連メッセージ、例えば接続確立関連メッセージ、再確立関連メッセージなどである可能性もあり、本出願の実施例はこれに限定されない。
【０１０３】
一つの選択可能な実施例として、Ｓ１１０の前に、該方法はさらに該第一のネットワーク装置が該少なくとも一つのネットワーク装置から送信された該少なくとも一つのネットワーク装置のネットワーク能力情報をそれぞれ受信することを含む。
【０１０４】
一つの選択可能な実施例として、該方法はさらに該第一のネットワーク装置が該少なくとも一つのネットワーク装置内の第二のネットワーク装置へ該第一のネットワーク装置のネットワーク能力情報を送信することを含む。
【０１０５】
理解すべきものとして、接続しているネットワーク装置同士はそれ自体のネットワーク能力情報を相互に送信することができ、これにより端末装置がその中の一つのネットワーク装置にアクセスした後、該端末装置にアクセスされたネットワーク装置は他のネットワーク装置のネットワーク能力情報を有し、該端末装置へそれ自体のネットワーク能力情報又はそれに接続されたネットワーク装置のネットワーク能力情報を送信する。
【０１０６】
一つの選択可能な実施例として、該少なくとも一つのネットワーク装置のネットワーク能力情報はさらにマッピング情報を含み、該マッピング情報が該少なくとも一つのネットワーク装置の搬送波周波数及び／又は該少なくとも一つのネットワーク装置の識別子と該サービス及び／又は該機能との対応関係を示すことに用いられ、及び／又は
該マッピング情報が該少なくとも一つのネットワーク装置の搬送波周波数及び／又は該少なくとも一つのネットワーク装置の識別子と該サービス及び／又は該機能の設定情報との対応関係を示すことに用いられる。
【０１０７】
理解すべきものとして、該サービス及び／又は該機能の設定情報はサービス及び／又は該機能に対するネットワーク装置の設定状況を示すことに用いられてもよい。上記対応関係は該少なくとも一つのネットワーク装置の搬送波周波数と該サービス及び／又は該機能との対応関係であってもよいし、該少なくとも一つのネットワーク装置の識別子と該サービス及び／又は該機能との対応関係であってもよいし、該少なくとも一つのネットワーク装置の搬送波周波数と該サービス及び／又は該機能の設定情報との対応関係であってもよいし、該少なくとも一つのネットワーク装置の識別子と該サービス及び／又は該機能の設定情報との対応関係であってもよく、本出願の実施例はこれに限定されない。
【０１０８】
一つの選択可能な実施例として、Ｓ２１０の後、該方法はさらに該端末装置が該少なくとも一つのネットワーク装置内の第三のネットワーク装置のカバレッジに移動する場合、該端末装置が該第三のネットワーク装置のネットワーク能力情報に基づき、該第三のネットワーク装置の属するセルに滞在するか否かを確定することを含む。
【０１０９】
理解すべきものとして、該端末装置は該第一のネットワーク装置から送信された少なくとも一つのネットワーク装置のネットワーク能力情報を受信した後、必ずしもそれ自体の能力に適する第三のネットワーク装置の位置するセルを直ちに選択して滞在せず、これは現在の端末装置が第一のネットワーク装置のカバレッジ内に位置し、必ず該第三のネットワーク装置のカバレッジ内に位置しないためである。該端末装置が該第三のネットワーク装置の位置するセルに移動した場合のみ、該端末装置は該第三のネットワーク装置のネットワーク能力情報とそれ自体の端末能力情報を組み合わせ、該第三のネットワーク装置の位置するセルに滞在するか否かを確定する。
【０１１０】
図３は本出願の実施例による情報伝送装置３００の概略ブロック図である。図３に示すように、該装置３００は送信ユニット３１０を備える。
【０１１１】
送信ユニット３１０は、端末装置へ少なくとも一つのネットワーク装置のネットワーク能力情報を送信するように構成され、ここで、該少なくとも一つのネットワーク装置が該装置及び／又は該装置に接続されたネットワーク装置を含む。
【０１１２】
該ネットワーク能力情報はそれぞれ該少なくとも一つのネットワーク装置がサポートできるサービス及び／又は機能を示すことに用いられる。
【０１１３】
選択可能に、該送信ユニット３１０は具体的に該端末装置の情報に基づき、該端末装置へ該少なくとも一つのネットワーク能力情報を送信するように構成され、ここで、該端末装置の情報が該端末装置のサービスニーズ情報及び／又はユーザランク情報を含み、該少なくとも一つのネットワーク装置のネットワーク能力情報が該端末装置のサービスニーズ情報及び／又はユーザランク情報に合致する。
【０１１４】
選択可能に、該装置はさらに、該端末装置が少なくとも一つのネットワーク装置のネットワーク能力情報を送信する前に、該端末装置から送信された第一のメッセージを受信するように構成され、該第一のメッセージが該少なくとも一つのネットワーク装置のネットワーク能力情報をリクエストすることに用いられる第一の受信ユニットを備え、該送信ユニットは具体的に該第一のメッセージを受信した後、該端末装置へ該少なくとも一つのネットワーク装置のネットワーク能力情報を送信するように構成される。
【０１１５】
選択可能に、該第一のメッセージに該端末装置の端末能力情報が含まれ、該端末能力情報は該端末装置がサポートする必要がある又はサポートできるサービス及び／又は機能を示すことに用いられ、該送信ユニットはさらに該端末能力情報を受信した後、該端末装置へ該端末能力情報に合致する該少なくとも一つのネットワーク装置のネットワーク能力情報を送信するように構成される。
【０１１６】
選択可能に、該第一のメッセージは該端末装置が初めて該装置にアクセスする時に送信したものである。
【０１１７】
選択可能に、該少なくとも一つのネットワーク装置は第一のエリアをカバーするネットワーク装置である。
【０１１８】
選択可能に、該第一のエリアは位置エリアであり、該少なくとも一つのネットワーク装置は該装置を含み、該端末装置に対してページングを行うように、該位置エリアが該端末装置の位置するエリア範囲を確定することに用いられる。
【０１１９】
選択可能に、該第一のメッセージは位置更新メッセージであり、該位置更新メッセージが、該端末装置が第二のエリアから該第一のエリアに移動することを示すことに用いられ、該送信ユニットは具体的に該位置更新メッセージを受信した後、該端末装置へ該少なくとも一つのネットワーク装置のネットワーク能力情報を送信するように構成される。
【０１２０】
選択可能に、該送信ユニットは具体的に該端末装置へ該少なくとも一つのネットワーク装置のネットワーク能力情報をユニキャスト、マルチキャスト又はブロードキャストで送信するように構成される。
【０１２１】
選択可能に、該装置はさらに、該端末装置へ少なくとも一つのネットワーク装置のネットワーク能力情報を送信する前に、該少なくとも一つのネットワーク装置内の該装置に接続されたネットワーク装置から送信されたネットワーク能力情報をそれぞれ受信するように構成される第二の受信ユニットを備える。
【０１２２】
選択可能に、該送信ユニットはさらに該少なくとも一つのネットワーク装置内の第二のネットワーク装置へ該装置のネットワーク能力情報を送信するように構成される。
【０１２３】
選択可能に、該少なくとも一つのネットワーク装置のネットワーク能力情報はさらにマッピング情報を含み、該マッピング情報が該少なくとも一つのネットワーク装置の搬送波周波数及び／又は該少なくとも一つのネットワーク装置の識別子と該サービス及び／又は該機能との対応関係を示すことに用いられ、及び／又は
該マッピング情報が該少なくとも一つのネットワーク装置の搬送波周波数及び／又は該少なくとも一つのネットワーク装置の識別子と該サービス及び／又は該機能の設定情報との対応関係を示すことに用いられる。
【０１２４】
選択可能に、該装置はコアネットワーク装置又はアクセスネットワーク装置である。
【０１２５】
選択可能に、該サービスはブロードキャスト・マルチキャストサービス、ＶｏＬＴＥサービスと端末直接接続（Ｄ２Ｄ）サービスのうちの少なくとも一つを含み、該機能はキャリアアグリゲーション機能、ライセンス補助アクセス（ＬＡＡ）機能、デュアルコネクティビティ機能とローカル/基地局キャッシュ機能のうちの少なくとも一つを含む。
【０１２６】
理解すべきのとして、ここでの装置３００は機能モジュールの形態で具現化される。ここでの用語「ユニット」は、特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、電子回路、一つ又は複数のソフトウェア又はファームウェアプログラムを実行するためのプロセッサ（例えば共有プロセッサ、プロプライエタリプロセッサ又はグループプロセッサなど）とメモリ、組み合わせ論理回路及び／又は説明される機能をサポートする他の適切な部材であってもよい。一つの選択可能な例では、当業者は、装置３００が具体的に上記実施例における第一のネットワーク装置であってもよく、装置３００が上記方法の実施例における、第一のネットワーク装置に対応する各プロセス及び／又はステップを実行することに用いられてもよいことを理解でき、繰り返しを避けるために、ここで説明を省略する。
【０１２７】
図４は本出願の実施例による情報伝送装置４００の概略ブロック図である。図４に示すように、該装置４００は受信ユニット４１０を備える。
【０１２８】
受信ユニット４１０は、第一のネットワーク装置から送信された少なくとも一つのネットワーク装置のネットワーク能力情報を受信するように構成され、ここで、該少なくとも一つのネットワーク装置が該第一のネットワーク装置及び／又は該第一のネットワーク装置に接続されたネットワーク装置を含む。
【０１２９】
選択可能に、該少なくとも一つのネットワーク装置のネットワーク能力情報はそれぞれ該少なくとも一つのネットワーク装置がサポートできるサービス及び／又は機能を示すことに用いられる。
【０１３０】
選択可能に、該受信ユニットは具体的に、該第一のネットワーク装置が該装置の情報に基づいて送信した該少なくとも一つのネットワーク装置のネットワーク能力情報を受信するように構成され、ここで、該装置の情報が該装置のサービスニーズ情報及び／又はユーザランク情報を含み、該少なくとも一つのネットワーク装置のネットワーク能力情報に対応するサービス及び／又は機能が該装置のサービスニーズ情報及び／又はユーザランク情報に合致する。
【０１３１】
選択可能に、該装置はさらに該第一のネットワーク装置から送信された少なくとも一つのネットワーク装置のネットワーク能力情報を受信する前に、該第一のネットワーク装置へ第一のメッセージを送信するように構成され、該第一のメッセージが該少なくとも一つのネットワーク装置のネットワーク能力情報をリクエストすることに用いられる送信ユニットを備え、該受信ユニットは具体的に、該第一のネットワーク装置が該第一のメッセージを受信した後に送信した該少なくとも一つのネットワーク装置のネットワーク能力情報を受信するように構成される。
【０１３２】
選択可能に、該第一のメッセージに該装置の端末能力情報が含まれ、該端末能力情報は、該端末装置がサポートする必要がある又はサポートできるサービス及び／又は機能を示すことに用いられ、該受信ユニットは具体的に、該第一のネットワーク装置が該端末能力情報を受信した後に送信した該少なくとも一つのネットワーク装置のネットワーク能力情報を受信するように構成される。
【０１３３】
選択可能に、該少なくとも一つのネットワーク装置は第一のエリアをカバーするネットワーク装置である。
【０１３４】
選択可能に、該第一のエリアは位置エリアであり、該少なくとも一つのネットワーク装置は該第一のネットワーク装置を含み、該装置に対してページングを行うように、該位置エリアが該装置の位置するエリア範囲を確定することに用いられる。
【０１３５】
選択可能に、該第一のメッセージは位置更新メッセージであり、該位置更新メッセージが、該装置が第二のエリアから該第一のエリアに移動することを示すことに用いられ、該受信ユニットは具体的に該第一のネットワーク装置が該位置更新メッセージを受信した後に送信した該少なくとも一つのネットワーク装置のネットワーク能力情報を受信するように構成される。
【０１３６】
選択可能に、該受信ユニットは具体的に、該第一のネットワーク装置がユニキャスト、マルチキャスト又はブロードキャストで送信した該少なくとも一つのネットワーク装置のネットワーク能力情報を受信するように構成される。
【０１３７】
選択可能に、該装置はさらに、該第一のネットワーク装置から送信された少なくとも一つのネットワーク装置のネットワーク能力情報を受信した後、該装置が該少なくとも一つのネットワーク装置内の第二のネットワーク装置のカバレッジに移動する場合、該第二のネットワーク装置のネットワーク能力情報に基づき、該第二のネットワーク装置の属するセルに滞在するか否かを確定するように構成される確定ユニットを備える。
【０１３８】
選択可能に、該少なくとも一つのネットワーク装置のネットワーク能力情報はさらにマッピング情報を含み、該マッピング情報が該少なくとも一つのネットワーク装置の搬送波周波数及び／又は該少なくとも一つのネットワーク装置の識別子と該サービス及び／又は該機能との対応関係を示すことに用いられ、及び／又は
該マッピング情報が該少なくとも一つのネットワーク装置の搬送波周波数及び／又は該少なくとも一つのネットワーク装置の識別子と該サービス及び／又は該機能の設定情報との対応関係を示すことに用いられる。
【０１３９】
選択可能に、該第一のネットワーク装置はコアネットワーク装置又はアクセスネットワーク装置である。
【０１４０】
選択可能に、該サービスは、ブロードキャスト・マルチキャストサービス、ＶｏＬＴＥサービスと端末直接接続（Ｄ２Ｄ）サービスのうちの少なくとも一つを含み、該機能はキャリアアグリゲーション機能、ライセンス補助アクセス（ＬＡＡ）機能、デュアルコネクティビティ機能とローカル/基地局キャッシュ機能のうちの少なくとも一つを含む。
【０１４１】
理解すべきものとして、ここでの装置４００は機能モジュールの形態で具現化される。ここでの用語「ユニット」は特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、電子回路、一つ又は複数のソフトウェア又はファームウェアプログラムを実行するためのプロセッサ（例えば共有プロセッサ、プロプライエタリプロセッサ又はグループプロセッサなど）とメモリ、組み合わせ論理回路及び／又は説明される機能をサポートする他の適切な部材であってもよい。一つの選択可能な例では、当業者は、装置４００が具体的に上記実施例における端末装置であってもよく、装置４００が上記方法の実施例における、端末装置に対応する各プロセス及び／又はステップを実行することに用いられてもよいことを理解でき、繰り返しを回避するために、ここで説明を省略する。
【０１４２】
図５は本出願の実施例による情報伝送システム５００の概略ブロック図である。図５に示すように、該通信システム５００は装置３００と装置４００を備える。
【０１４３】
ここで、装置３００は上記方法の実施例における第一のネットワーク装置に対応する各プロセス及び／又はステップを実行することに用いられ、装置４００は上記方法の実施例における端末装置に対応する各プロセス及び／又はステップを実行することに用いられ、繰り返しを避けるために、ここで説明を省略する。一つの選択可能な例では、装置３００が具体的に上記実施例における第一のネットワーク装置であってもよく、装置４００が上記実施例における端末装置であってもよいことは当業者が理解できる。
【０１４４】
図６は本出願の実施例による情報伝送装置６００の概略ブロック図である。該装置６００は受信機６１０、プロセッサ６２０、送信機６３０、メモリ６４０とバスシステム６５０を備える。ここで、受信機６１０、プロセッサ６２０、送信機６３０とメモリ６４０はバスシステム６５０を介して接続され、該メモリ６４０が命令を記憶するように構成され、該プロセッサ６２０が該メモリ６４０に記憶された命令を実行し、信号を受信するように該受信機６１０を制御し、そして信号を送信するように該送信機６３０を制御するようにように構成される。
【０１４５】
ここで、該送信機６３０は端末装置へ少なくとも一つのネットワーク装置のネットワーク能力情報を送信するように構成され、ここで、該少なくとも一つのネットワーク装置が該装置及び／又は該装置に接続されたネットワーク装置を含む。
【０１４６】
選択可能に、該ネットワーク能力情報はそれぞれ該少なくとも一つのネットワーク装置がサポートできるサービス及び／又は機能を示すことに用いられる。
【０１４７】
選択可能に、該少なくとも一つのネットワーク装置のネットワーク能力情報は該端末装置に必要なネットワーク能力情報であり、該送信機６３０は具体的に該端末装置の情報に基づき、該端末装置へ該少なくとも一つのネットワーク能力情報を送信するように構成され、ここで、該端末装置の情報が該端末装置のサービスニーズ情報及び／又はユーザランク情報を含み、該少なくとも一つのネットワーク装置のネットワーク能力情報が該端末装置のサービスニーズ情報及び／又はユーザランク情報に合致する。
【０１４８】
選択可能に、該受信機６１０は、該端末装置が少なくとも一つのネットワーク装置のネットワーク能力情報を送信する前に、該端末装置から送信された第一のメッセージを受信するように構成され、該第一のメッセージが該少なくとも一つのネットワーク装置のネットワーク能力情報をリクエストすることに用いられ、該送信機６３０は具体的に、該第一のメッセージを受信した後、該端末装置へ該少なくとも一つのネットワーク装置のネットワーク能力情報を送信するように構成される。
【０１４９】
選択可能に、該第一のメッセージに該端末装置の端末能力情報が含まれ、該端末能力情報は該端末装置がサポートする必要がある又はサポートできるサービス及び／又は機能を示すことに用いられ、該送信機６３０はさらに該端末能力情報を受信した後、該端末装置へ該端末能力情報に合致する該少なくとも一つのネットワーク装置のネットワーク能力情報を送信するように構成される。
【０１５０】
選択可能に、該第一のメッセージは該端末装置が初めて該装置にアクセスする時に送信したものである。
【０１５１】
選択可能に、該少なくとも一つのネットワーク装置は第一のエリアをカバーするネットワーク装置である。
【０１５２】
選択可能に、該第一のエリアは位置エリアであり、該少なくとも一つのネットワーク装置は該装置を含み、該端末装置に対してページングを行うように、該位置エリアが該端末装置の位置するエリア範囲を確定することに用いられる。
【０１５３】
選択可能に、該第一のメッセージは位置更新メッセージであり、該位置更新メッセージが、該端末装置が第二のエリアから該第一のエリアに移動することを示すことに用いられ、該送信機６３０は具体的に該位置更新メッセージを受信した後、該端末装置へ該少なくとも一つのネットワーク装置のネットワーク能力情報を送信するように構成される。
【０１５４】
選択可能に、該送信機６３０は具体的に該端末装置へ該少なくとも一つのネットワーク装置のネットワーク能力情報をユニキャスト、マルチキャスト又はブロードキャストで送信するように構成される。
【０１５５】
選択可能に、該受信機６１０はさらに、該端末装置へ少なくとも一つのネットワーク装置のネットワーク能力情報を送信する前に、該少なくとも一つのネットワーク装置内の該装置に接続されたネットワーク装置から送信されたネットワーク能力情報をそれぞれ受信するように構成される。
【０１５６】
選択可能に、該送信ユニット６３０はさらに該少なくとも一つのネットワーク装置内の第二のネットワーク装置へ該装置のネットワーク能力情報を送信するように構成される。
【０１５７】
選択可能に、該少なくとも一つのネットワーク装置のネットワーク能力情報はさらにマッピング情報を含み、該マッピング情報が該少なくとも一つのネットワーク装置の搬送波周波数及び／又は該少なくとも一つのネットワーク装置の識別子と該サービス及び／又は該機能との対応関係を示すことに用いられ、及び／又は
該マッピング情報が該少なくとも一つのネットワーク装置の搬送波周波数及び／又は該少なくとも一つのネットワーク装置の識別子と該サービス及び／又は該機能の設定情報との対応関係を示すことに用いられる。
【０１５８】
選択可能に、該装置はコアネットワーク装置又はアクセスネットワーク装置である。
【０１５９】
選択可能に、該サービスはブロードキャスト・マルチキャストサービス、ＶｏＬＴＥサービスと端末直接接続（Ｄ２Ｄ）サービスのうちの少なくとも一つを含み、該機能はキャリアアグリゲーション機能、ライセンス補助アクセス（ＬＡＡ）機能、デュアルコネクティビティ機能とローカル/基地局キャッシュ機能のうちの少なくとも一つを含む。
【０１６０】
理解すべきものとして、装置６００は具体的に上記実施例における第一のネットワークであってもよく、そして上記方法の実施例における第一のネットワーク装置に対応する各プロセス及び／又はプロセスを実行することに用いられてもよい。選択可能に、該メモリ６４０は読み取り専用メモリとランダムアクセスメモリを含み、プロセッサへ命令とデータを提供することができる。メモリの一部はさらに不揮発性ランダムアクセスメモリを含むことができる。例えば、メモリはさらに装置タイプの情報を記憶することができる。該プロセッサ６２０はメモリに記憶された命令を実行することに用いられてもよく、そして該プロセッサが該命令を実行する場合、該プロセッサは上記方法の実施例における第一のネットワーク装置に対応する各ステップを実行することができる。
【０１６１】
図７は本出願の実施例による情報伝送装置７００の概略ブロック図である。例えば該装置７００は受信機７１０、プロセッサ７２０、送信機７３０、メモリ７４０とバスシステム７５０を備える。ここで、受信機７１０、プロセッサ７２０、送信機７３０とメモリ７４０はバスシステム７５０を介して接続され、該メモリ７４０が命令を記憶するように構成され、該プロセッサ７２０が該メモリ７４０に記憶された命令を実行し、信号を受信するように該受信機７１０を制御し、そして信号を送信するように該送信機７３０を制御するようにように構成される。
【０１６２】
ここで、受信機７１０は第一のネットワーク装置から送信された少なくとも一つのネットワーク装置のネットワーク能力情報を受信するように構成され、ここで、該少なくとも一つのネットワーク装置が該第一のネットワーク装置及び／又は該第一のネットワーク装置に接続されたネットワーク装置を含む。
【０１６３】
選択可能に、該少なくとも一つのネットワーク装置のネットワーク能力情報はそれぞれ該少なくとも一つのネットワーク装置がサポートできるサービス及び／又は機能を示すことに用いられる。
【０１６４】
選択可能に、該受信機７１０は具体的に、該第一のネットワーク装置が該装置の情報に基づいて送信した該少なくとも一つのネットワーク装置のネットワーク能力情報を受信するように構成され、ここで、該装置の情報が該装置のサービスニーズ情報及び／又はユーザランク情報を含み、該少なくとも一つのネットワーク装置のネットワーク能力情報に対応するサービス及び／又は機能が該装置のサービスニーズ情報及び／又はユーザランク情報に合致する。
【０１６５】
選択可能に、該送信機７３０は、該第一のネットワーク装置から送信された少なくとも一つのネットワーク装置のネットワーク能力情報を受信する前に、該第一のネットワーク装置へ第一のメッセージを送信するように構成され、該第一のメッセージが該少なくとも一つのネットワーク装置のネットワーク能力情報をリクエストすることに用いられ、該受信機７１０は具体的に、該第一のネットワーク装置が該第一のメッセージを受信した後に送信した該少なくとも一つのネットワーク装置のネットワーク能力情報を受信するように構成される。
【０１６６】
選択可能に、該第一のメッセージに該装置の端末能力情報が含まれ、該端末能力情報は、該装置がサポートする必要がある又はサポートできるサービス及び／又は機能を示すことに用いられ、該受信機７１０は具体的に、該第一のネットワーク装置が該端末能力情報を受信した後に送信した該少なくとも一つのネットワーク装置のネットワーク能力情報を受信するように構成される。
【０１６７】
選択可能に、該少なくとも一つのネットワーク装置は第一のエリアをカバーするネットワーク装置である。
【０１６８】
選択可能に、該第一のエリアは位置エリアであり、該少なくとも一つのネットワーク装置は該第一のネットワーク装置を含み、該装置に対してページングを行うように、該位置エリアが該装置の位置するエリア範囲を確定することに用いられる。
【０１６９】
選択可能に、該第一のメッセージは位置更新メッセージであり、該位置更新メッセージが、該装置が第二のエリアから該第一のエリアに移動することを示すことに用いられ、該受信機７１０は具体的に該第一のネットワーク装置が該位置更新メッセージを受信した後に送信した該少なくとも一つのネットワーク装置のネットワーク能力情報を受信するように構成される。
【０１７０】
選択可能に、該受信機７１０は具体的に、該第一のネットワーク装置がユニキャスト、マルチキャスト又はブロードキャストで送信した該少なくとも一つのネットワーク装置のネットワーク能力情報を受信するように構成される。
【０１７１】
選択可能に、該プロセッサ７２０は該第一のネットワーク装置から送信された少なくとも一つのネットワーク装置のネットワーク能力情報を受信した後、該装置が該少なくとも一つのネットワーク装置内の第二のネットワーク装置のカバレッジに移動する場合、該第二のネットワーク装置のネットワーク能力情報に基づき、該第二のネットワーク装置の属するセルに滞在するか否かを確定するように構成される。
【０１７２】
選択可能に、該少なくとも一つのネットワーク装置のネットワーク能力情報はさらにマッピング情報を含み、該マッピング情報が該少なくとも一つのネットワーク装置の搬送波周波数及び／又は該少なくとも一つのネットワーク装置の識別子と該サービス及び／又は該機能との対応関係を示すことに用いられ、及び／又は
該マッピング情報が該少なくとも一つのネットワーク装置の搬送波周波数及び／又は該少なくとも一つのネットワーク装置の識別子と該サービス及び／又は該機能の設定情報との対応関係を示すことに用いられる。
【０１７３】
選択可能に、該第一のネットワーク装置はコアネットワーク装置又はアクセスネットワーク装置である。
【０１７４】
選択可能に、該サービスは、ブロードキャスト・マルチキャストサービス、ＶｏＬＴＥサービスと端末直接接続（Ｄ２Ｄ）サービスのうちの少なくとも一つを含み、該機能はキャリアアグリゲーション機能、ライセンス補助アクセス（ＬＡＡ）機能、デュアルコネクティビティ機能とローカル/基地局キャッシュ機能のうちの少なくとも一つを含む。
【０１７５】
理解すべきものとして、装置７００は具体的に上記実施例における端末装置であってもよく、そして上記方法の実施例における端末装置に対応する各プロセス及び／又はプロセスを実行することに用いられてもよい。選択可能に、該メモリ７４０は読み取り専用メモリとランダムアクセスメモリを含み、プロセッサへ命令とデータを提供することができる。メモリの一部はさらに不揮発性ランダムアクセスメモリを含むことができる。例えば、メモリはさらに装置タイプの情報を記憶することができる。該プロセッサ７２０はメモリに記憶された命令を実行することに用いられてもよく、そして該プロセッサが該命令を実行する場合、該プロセッサは上記方法の実施例における端末装置に対応する各ステップを実行することができる。
【０１７６】
理解すべきものとして、本出願の実施例では、プロセッサ６２０とプロセッサ７２０は中央処理ユニット（ＣＰＵ：Ｃｅｎｔｒａｌ  Ｐｒｏｃｅｓｓｉｎｇ  Ｕｎｉｔ）であってもよく、プロセッサは他の汎用プロセッサ、デジタル信号プロセッサ（ＤＳＰ）、特定用途向け集積回路（ＡＳＩＣ）、フィールドプログラマブルゲートアレイ（ＦＰＧＡ）又は他のプログラマブルロジックデバイス、ディスクリートゲート又はトランジスタロジックデバイス、ディスクリートハードウェアコンポーネントなどであってもよい。汎用プロセッサはマイクロプロセッサであってもよく、又は該プロセッサはいずれかの従来のプロセッサなどであってもよい。
【０１７７】
理解すべきものとして、本明細書では用語「及び／又は」は、関連するオブジェクトの関連関係を記述するためのものに過ぎず、３種類の関係が存在してもよいことを示し、Ａ及び／又はＢは、Ａが単独で存在すること、ＡとＢが同時に存在すること、Ｂが単独で存在することの３つの状況を示すことができる。また、本明細書では文字「／」は、一般的に前後にある関連オブジェクトが「又は」の関係であることを示す。
【０１７８】
本出願の様々な実施例では、上記の各プロセスの番号の大きさが実行順序を意味せず、各プロセスの実行順序はその機能と内部ロジックによって確定されるべきであり、本出願の実施例の実施プロセスのいかなる限定を構成すべきではないと理解すべきである。
【０１７９】
当業者であれば、本明細書に開示される実施例と組み合わせて説明された各例のユニット及びアルゴリズムステップは、電子ハードウェア、又はコンピュータソフトウェアと電子ハードウェアとの組み合わせで実現されてもよいと理解できる。これらの機能がハードウェア又はソフトウェアで実行されるかどうかは技術的解決策の特定アプリケーションと設計制約条件に依存する。専門技術者は各特定のアプリケーションに対して異なる方法を使用して説明された機能を実現することができるが、このような実現は本出願の範囲を超えていると考えられるべきではない。
【０１８０】
当業者は、便宜上且つ簡潔に説明するために、上述したシステム、装置とユニットの具体的な動作プロセスについて上記方法の実施例における対応するプロセスを参照することができ、ここでは説明を省略することを明確に理解することができる。
【０１８１】
本出願が提供するいくつかの実施例では、開示されるシステム、装置及び方法は他の方式により実現されてもよいと理解すべきである。例えば、上述した装置の実施例は例示的なものに過ぎず、例えば、前記ユニットの区分はロジック機能的区分に過ぎず、実際に実施する時に他の区分方式もあり得る。例えば、複数のユニット又は部材は組み合わせられてもよく、又は他のシステムに統合されてもよく、又はいくつかの特徴は無視されてもよく、又は実行されなくてもよい。また、示される又は議論される相互結合又は直接結合又は通信接続はいくつかのインターフェース、装置又はユニットを介する間接的結合又は通信接続であってもよく、電気的、機械的又は他の形態であってもよい。
【０１８２】
分離部材として説明された前記ユニットは、物理的に分離するものであってもよく又は物理的に分離するものでなくてもよく、ユニットとして表示された部材は物理的ユニットであってもよく又は物理的ユニットでなくてもよく、すなわち一つの箇所に位置してもよく、又は複数のネットワークユニットに分布してもよい。実際のニーズに応じてその中の一部又は全てのユニットを選択して本実施例の解決策の目的を達成することができる。
【０１８３】
また、本出願の各実施例における各機能ユニットは、一つの処理ユニットに統合されてもよく、個々のユニットは単独で物理的に存在してもよく、２つ又は２つ以上のユニットは一つのユニットに統合されてもよい。
【０１８４】
前記機能は、ソフトウェア機能ユニットの形態で実現され且つ独立した製品として販売又は使用される場合、一つのコンピュータ可読記憶媒体に格納されてもよい。このような理解に基づき、本出願の技術的解決策は、本質的にソフトウェア製品の形態で実現されてもよく、又は従来技術に貢献する部分又は該技術的解決策の部分がソフトウェア製品の形態で実現されてもよく、該コンピュータソフトウェア製品は一つのコンピュータ装置（パーソナルコンピュータ、サーバ、又はネットワーク装置などあってもよい）に本出願の各実施例に記載の方法の全部又は一部のステップを実行させるためのいくつかの命令を含む記憶媒体に記憶される。前記記憶媒体は、Ｕディスク、モバイルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる各種の媒体を含む。
【０１８５】
以上は、本出願の具体的な実施形態に過ぎず、本出願の保護範囲はこれに制限されず、当業者が本出願に開示された技術的範囲内で容易に想到し得る変化又は入れ替わりが全て本出願の保護範囲内に含まれるべきである。したがって、本出願の保護範囲は特許請求の範囲によって準拠するべきである。
【図１】
2019525524.tif 000003
【図２】
2019525524.tif 000004
【図３】
2019525524.tif 000005
【図４】
2019525524.tif 000006
【図５】
2019525524.tif 000007
【図６】
2019525524.tif 000008
【図７】
2019525524.tif 000009
【手続補正書】
【提出日】平成31年1月23日(2019.1.23)
【手続補正１】
【補正対象書類名】特許請求の範囲
【補正対象項目名】全文
【補正方法】変更
【補正の内容】
【特許請求の範囲】
【請求項１】
情報伝送方法であって、
第一のネットワーク装置が端末装置へ少なくとも一つのネットワーク装置のネットワーク能力情報を送信することを含み、
ここで、前記少なくとも一つのネットワーク装置が前記第一のネットワーク装置及び／又は前記第一のネットワーク装置に接続されたネットワーク装置を含む、情報伝送方法。
【請求項２】
前記第一のネットワーク装置が端末装置へ少なくとも一つのネットワーク装置のネットワーク能力情報を送信することは、
前記第一のネットワーク装置が前記端末装置の情報に基づき、前記端末装置へ前記少なくとも一つのネットワーク装置のネットワーク能力情報を送信することを含み、ここで、前記端末装置の情報が前記端末装置のサービスニーズ情報及び／又はユーザランク情報を含むことを特徴とする
請求項１に記載の方法。
【請求項３】
前記第一のネットワーク装置が端末装置へ少なくとも一つのネットワーク装置のネットワーク能力情報を送信する前に、前記方法はさらに、
前記第一のネットワーク装置が前記端末装置から送信された第一のメッセージを受信し、前記第一のメッセージが前記少なくとも一つのネットワーク装置のネットワーク能力情報をリクエストすることに用いられることを含み、
前記第一のネットワーク装置が端末装置へ少なくとも一つのネットワーク装置のネットワーク能力情報を送信することは、
前記第一のネットワーク装置が前記第一のメッセージを受信した後、前記端末装置へ前記少なくとも一つのネットワーク装置のネットワーク能力情報を送信することを含むことを特徴とする
請求項１又は２に記載の方法。
【請求項４】
前記少なくとも一つのネットワーク装置は第一のエリアをカバーするネットワーク装置であり、前記第一のエリアは位置エリアであり、前記少なくとも一つのネットワーク装置は前記第一のネットワーク装置を含み、前記位置エリアが前記端末装置の位置するエリア範囲を確定することに用いられ、前記第一のメッセージは位置更新メッセージであり、前記位置更新メッセージが、前記端末装置が第二のエリアから前記第一のエリアに移動することを示すことに用いられ、
前記第一のネットワーク装置が端末装置へ前記少なくとも一つのネットワーク装置のネットワーク能力情報を送信することは、
前記第一のネットワーク装置が前記位置更新メッセージを受信した後、前記端末装置へ前記少なくとも一つのネットワーク装置のネットワーク能力情報を送信することを含むことを特徴とする
請求項１乃至３のいずれか一項に記載の方法。
【請求項５】
情報伝送方法であって、
端末装置が第一のネットワーク装置から送信された少なくとも一つのネットワーク装置のネットワーク能力情報を受信することを含み、
ここで、前記少なくとも一つのネットワーク装置が前記第一のネットワーク装置及び／又は前記第一のネットワーク装置に接続されたネットワーク装置を含む、情報伝送方法。
【請求項６】
前記少なくとも一つのネットワーク装置のネットワーク能力情報は前記少なくとも一つのネットワーク装置がサポートできるサービス及び／又は機能を示すことに用いられることを特徴とする
請求項５に記載の方法。
【請求項７】
前記端末装置が第一のネットワーク装置から送信された少なくとも一つのネットワーク装置のネットワーク能力情報を受信することは、
前記端末装置が、前記第一のネットワーク装置が前記端末装置の情報に基づいて送信した前記少なくとも一つのネットワーク装置のネットワーク能力情報を受信することを含み、ここで、前記端末装置の情報が前記端末装置のサービスニーズ情報及び／又はユーザランク情報を含むことを特徴とする
請求項５又は６に記載の方法。
【請求項８】
前記端末装置が第一のネットワーク装置から送信された少なくとも一つのネットワーク装置のネットワーク能力情報を受信する前に、前記方法はさらに、
前記端末装置が前記第一のネットワーク装置へ第一のメッセージを送信し、前記第一のメッセージが前記少なくとも一つのネットワーク装置のネットワーク能力情報をリクエストすることに用いられることを含み、
前記端末装置が第一のネットワーク装置から送信された少なくとも一つのネットワーク装置のネットワーク能力情報を受信することは、
前記端末装置が、前記第一のネットワーク装置が前記第一のメッセージを受信した後に送信した前記少なくとも一つのネットワーク装置のネットワーク能力情報を受信することを含むことを特徴とする
請求項５乃至７のいずれか一項に記載の方法。
【請求項９】
前記少なくとも一つのネットワーク装置は第一のエリアをカバーするネットワーク装置であり、前記第一のエリアは位置エリアであり、前記少なくとも一つのネットワーク装置は前記第一のネットワーク装置を含み、前記位置エリアが前記端末装置の位置するエリア範囲を確定することに用いられることを特徴とする
請求項５乃至８のいずれか一項に記載の方法。
【請求項１０】
前記第一のメッセージは位置更新メッセージであり、前記位置更新メッセージが、前記端末装置が第二のエリアから前記第一のエリアに移動することを示すことに用いられ、
前記端末装置が第一のネットワーク装置から送信された少なくとも一つのネットワーク装置のネットワーク能力情報を受信することは、
前記端末装置が、前記第一のネットワーク装置が前記位置更新メッセージを受信した後に送信した前記少なくとも一つのネットワーク装置のネットワーク能力情報を受信することを含むことを特徴とする
請求項９に記載の方法。
【請求項１１】
前記端末装置が第一のネットワーク装置から送信された少なくとも一つのネットワーク装置のネットワーク能力情報を受信することは、
前記端末装置が、前記第一のネットワーク装置がユニキャスト、マルチキャスト又はブロードキャストで送信した前記少なくとも一つのネットワーク装置のネットワーク能力情報を受信することを含むことを特徴とする
請求項５乃至１０のいずれか一項に記載の方法。
【請求項１２】
前記端末装置が第一のネットワーク装置から送信された少なくとも一つのネットワーク装置のネットワーク能力情報を受信した後、前記方法はさらに、
前記端末装置が前記少なくとも一つのネットワーク装置の中の第二のネットワーク装置のカバレッジに移動する場合、前記端末装置が前記第二のネットワーク装置のネットワーク能力情報に基づき、前記第二のネットワーク装置の属するセルに滞在するか否かを確定することを含むことを特徴とする
請求項５乃至１１のいずれか一項に記載の方法。
【請求項１３】
前記少なくとも一つのネットワーク装置のネットワーク能力情報はさらにマッピング情報を含み、前記マッピング情報が前記少なくとも一つのネットワーク装置の搬送波周波数及び／又は前記少なくとも一つのネットワーク装置の識別子と前記サービス及び／又は前記機能との対応関係を示すことに用いられ、及び／又は
前記マッピング情報が前記少なくとも一つのネットワーク装置の搬送波周波数及び／又は前記少なくとも一つのネットワーク装置の識別子と前記サービス及び／又は前記機能の設定情報との対応関係を示すことに用いられることを特徴とする
請求項５乃至１２のいずれか一項に記載の方法。
【請求項１４】
前記サービスは、ブロードキャスト・マルチキャストサービス、ＶｏＬＴＥサービスと端末直接接続（Ｄ２Ｄ）サービスのうちの少なくとも一つを含み、
前記機能はキャリアアグリゲーション機能、ライセンス補助アクセス（ＬＡＡ）機能、デュアルコネクティビティ機能とローカル/基地局キャッシュ機能のうちの少なくとも一つを含むことを特徴とする
請求項５乃至１３のいずれか一項に記載の方法。
【請求項１５】
情報伝送装置であって、
メモリと、
前記装置が請求項５乃至１４のいずれか一項に記載の方法を実行するように、前記メモリに記憶される命令を実行するように構成されるプロセッサと、を含む、前記情報伝送装置。
【国際調査報告】
2019525524.tif 000010
2019525524.tif 000011
2019525524.tif 000012
2019525524.tif 000013